(57)【要約】      （修正有）【課題】特定のユーザ機器（ＵＥ）（例えば、低コスト、低データレートのＵＥ）のためにダウンリンクカバレッジを強化するための技法および装置を提供する。【解決手段】第２のタイプのＵＥと比べて強化されたダウンリンク（ＤＬ）カバレッジを受信することとなる第１のタイプの１つ以上のＵＥを識別し、第１のタイプのＵＥと通信する際に１つ以上のＤＬカバレッジ強化技法を利用する。ＤＬカバレッジ強化技法は、第２のタイプのＵＥと比べて第１のタイプのＵＥの低減されたＤＬ処理利得を調整するように設計される。【選択図】図５
2018067939.tif 000002
【特許請求の範囲】
【請求項１】
基地局によるワイヤレス通信システムのための方法であって、
第２のタイプのユーザ機器（ＵＥ）と比べて強化されたダウンリンク（ＤＬ）カバレッジを受信することとなる第１のタイプの１つ以上のＵＥを識別することと、
前記第１のタイプのＵＥと通信する際に１つ以上のＤＬカバレッジ強化技法を利用することと
を備え、前記１つ以上のＤＬカバレッジ強化技法は、少なくとも、前記第２のタイプのＵＥと比べて前記第１のタイプのＵＥの低減されたＤＬ処理利得を調整するように設計される、方法。
【請求項２】
前記低減されたＤＬ処理利得は、
前記第２のタイプのＵＥと比べて低減された数の受信チェーン、
低減されたダウンリンク送信電力、または
前記第２のタイプのＵＥと比べてより狭い帯域幅の動作
のうちの少なくとも１つによるものである、請求項１に記載の方法。
【請求項３】
前記１つ以上のＤＬカバレッジ強化技法は、前記第１のタイプのＵＥに送信する際の１つ以上の制御チャネルのペイロードサイズを、前記第２のタイプのＵＥに送信する際の同じ制御チャネルのペイロードサイズと比べて低減させることを備える、請求項１に記載の方法。
【請求項４】
第１のペイロードサイズは、第１のタイプの制御チャネルのユニキャストメッセージを送信する際に使用され、
第２のペイロードサイズは、前記第１のタイプの制御チャネルの非ユニキャストメッセージを送信する際に使用される
請求項３に記載の方法。
【請求項５】
前記１つ以上のＤＬカバレッジ強化技法は、低減されたコーディングレートをサポートするために、１つ以上の制御チャネルに利用可能なリソースを増加させることを備える、請求項１に記載の方法。
【請求項６】
前記リソースの増加は、前記第２のタイプのＵＥに同じ制御チャネルを送信する際に利用可能なリソースの数と比例する、請求項５に記載の方法。
【請求項７】
同じ情報が、前記増加されたリソースの異なるセットのリソースエレメント（ＲＥ）で繰り返される、請求項５に記載の方法。
【請求項８】
制御チャネルが前記増加されたリソースを使用して送信されることとなる１つ以上のサブフレームを示すシグナリングを受信することをさらに備える、請求項５に記載の方法。
【請求項９】
前記１つ以上のＤＬカバレッジ強化技法は、送信時間インターバル（ＴＴＩ）バンドリングを備え、ここで、多数のＤＬサブフレームからなるバンドルにわたって冗長バージョンのダウンリンクチャネルが送信される、請求項１に記載の方法。
【請求項１０】
前記バンドルは、Ｎ個の連続したＤＬサブフレームを備える、請求項９に記載の方法。
【請求項１１】
前記バンドルは、Ｎ個の連続した非マルチメディアブロードキャスト単一周波数ネットワーク（非ＭＢＳＦＮ）ＤＬサブフレームを備える、請求項９に記載の方法。
【請求項１２】
異なる数のリソースブロック（ＲＢ）が、ダウンリンクパイロット時間スロット（ＤｗＰＴＳ）を有するまたは有さない前記バンドル内のＤＬサブフレームについて前記ダウンリンクチャネルを送信するために使用される、請求項９に記載の方法。
【請求項１３】
同じアグリゲーションレベルが、前記バンドル内の各サブフレームで前記ダウンリンクチャネルを送信するために使用される、請求項９に記載の方法。
【請求項１４】
異なるアグリゲーションレベルが、前記バンドル内の異なるサブフレームで前記ダウンリンクチャネルを送信するために使用される、請求項９に記載の方法。
【請求項１５】
サブフレームで使用されるアグリゲーションレベルは、そのサブフレーム内の利用可能なリソースに依存する、請求項１４に記載の方法。
【請求項１６】
前記バンドル内の各サブフレームにおけるあるバージョンの前記ダウンリンクチャネルは、個別にコード化され、変調され、リソースにマッピングされる、請求項９に記載の方法。
【請求項１７】
異なるセットの制御チャネルエレメント（ＣＣＥ）が、異なるサブフレームで複数のバージョンの前記ダウンリンクチャネルを送信するために使用され、
前記異なるサブフレーム内の前記異なるセットのＣＣＥのロケーションはリンク付けされる、請求項９に記載の方法。
【請求項１８】
前記ダウンリンクチャネルは、物理ダウンリンク共有チャネル（ＰＤＳＣＨ）を備える、請求項９に記載の方法。
【請求項１９】
前記ＴＴＩバンドリングは、多数のサブフレームを通じて単一のトランスポートブロック（ＴＢ）を送信することを備える、請求項１８に記載の方法。
【請求項２０】
前記ＴＢは、同じ変調およびコード化スキーム（ＭＣＳ）を使用して前記バンドルの各サブフレームで送信される、請求項１９に記載の方法。
【請求項２１】
前記ＴＢは、同数のリソースブロック（ＲＢ）を使用して前記バンドルの各サブフレームで送信される、請求項１９に記載の方法。
【請求項２２】
前記ＴＢは、異なるロケーションのリソースブロック（ＲＢ）を使用して前記バンドルの各サブフレームで送信される、請求項２１に記載の方法。
【請求項２３】
制御チャネルと、前記ＴＴＩバンドリングを介して送信された対応する物理ダウンリンク共有チャネル（ＰＤＳＣＨ）との間のスケジューリングタイミングは、前記バンドル内の第１のサブフレームに基づいて決定される、請求項９に記載の方法。
【請求項２４】
前記ＴＴＩバンドリングを介して送信された物理ダウンリンク共有チャネル（ＰＤＳＣＨ）と、対応するハイブリッド自動再送要求（ＨＡＲＱ）応答との間のＨＡＲＱタイミングは、前記バンドル内の最後のサブフレームに基づいて決定される、請求項９に記載の方法。
【請求項２５】
サポートされるハイブリッド自動再送要求（ＨＡＲＱ）プロセスの数は、ＴＴＩバンドリングサイズに依存する、請求項９に記載の方法。
【請求項２６】
前記バンドル内の各サブフレームで前記ダウンリンクチャネルを送信するために、同じ復号候補が使用される、請求項９に記載の方法。
【請求項２７】
前記バンドル内の開始サブフレームについてのサブフレームオフセットは、準静的または動的のうちの少なくとも１つで決定される、請求項９に記載の方法。
【請求項２８】
前記バンドル内の前記開始サブフレームについての前記サブフレームオフセットはセル依存型である、請求項２７に記載の方法。
【請求項２９】
前記バンドルのサイズは、一定であるか、準静的に構成されるかのうちの少なくとも１つである、請求項９に記載の方法。
【請求項３０】
あるバージョンの前記ダウンリンクチャネルを送信するための１つ以上の物理層（ＰＨＹ）動作は、前記バンドル内のサブフレームによって異なる、請求項９に記載の方法。
【請求項３１】
前記バンドルのサイズは動的に構成される、請求項９に記載の方法。
【請求項３２】
あるバージョンの前記ダウンリンクチャネルを送信するための１つ以上の物理層（ＰＨＹ）動作は、前記バンドル内の異なるサブフレームで同じである、請求項９に記載の方法。
【請求項３３】
前記１つ以上のＤＬカバレッジ強化技法を利用することは、前記第１のタイプのＵＥのために、制御チャネルに対して第１の技法を利用することと、データチャネルに対して第２の技法を利用することとを備える、請求項１に記載の方法。
【請求項３４】
第１のサブフレームで送られた制御チャネルが、後続のサブフレームでのデータ送信をスケジューリングするように、クロスサブフレームスケジューリングが利用される、請求項１に記載の方法。
【請求項３５】
前記１つ以上のＤＬカバレッジ強化技法は、追加のビームフォーミング利得を利用することを備える、請求項１に記載の方法。
【請求項３６】
異なるＤＬカバレッジ強化技法は、異なる復号候補で送信されるＤＬチャネルに対して使用される、請求項１に記載の方法。
【請求項３７】
ワイヤレス通信のための装置であって、
第２のタイプのユーザ機器（ＵＥ）と比べて強化されたダウンリンク（ＤＬ）カバレッジを受信することとなる第１のタイプの１つ以上のＵＥを識別するための手段と、
前記第１のタイプのＵＥと通信する際に１つ以上のＤＬカバレッジ強化技法を利用するための手段と
を備え、前記１つ以上のＤＬカバレッジ強化技法は、少なくとも、前記第２のタイプのＵＥと比べて前記第１のタイプのＵＥの低減されたＤＬ処理利得を調整するように設計される、装置。
【請求項３８】
前記低減されたＤＬ処理利得は、
前記第２のタイプのＵＥと比べて低減された数の受信チェーン、
低減されたダウンリンク送信電力、または
前記第２のタイプのＵＥと比べてより狭い帯域幅の動作
のうちの少なくとも１つによるものである、請求項３７に記載の装置。
【請求項３９】
前記１つ以上のＤＬカバレッジ強化技法は、前記第１のタイプのＵＥに送信する際の１つ以上の制御チャネルのペイロードサイズを、前記第２のタイプのＵＥに送信する際の同じ制御チャネルのペイロードサイズと比べて低減させることを備える、請求項３７に記載の装置。
【請求項４０】
第１のペイロードサイズは、第１のタイプの制御チャネルのユニキャストメッセージを送信する際に使用され、
第２のペイロードサイズは、前記第１のタイプの制御チャネルの非ユニキャストメッセージを送信する際に使用される
請求項３９に記載の装置。
【請求項４１】
前記１つ以上のＤＬカバレッジ強化技法は、低減されたコーディングレートをサポートするために、１つ以上の制御チャネルに利用可能なリソースを増加させることを備える、請求項３７に記載の装置。
【請求項４２】
前記リソースの増加は、前記第２のタイプのＵＥに同じ制御チャネルを送信する際に利用可能なリソースの数に比例する、請求項４１に記載の装置。
【請求項４３】
同じ情報が、前記増加したリソースの異なるセットのリソースエレメント（ＲＥ）で繰り返される、請求項４１に記載の装置。
【請求項４４】
制御チャネルが前記増加されたリソースを使用して送信されることとなる１つ以上のサブフレームを示すシグナリングを受信するための手段をさらに備える、請求項４１に記載の装置。
【請求項４５】
前記１つ以上のＤＬカバレッジ強化技法は、送信時間インターバル（ＴＴＩ）バンドリングを備え、ここで、多数のＤＬサブフレームからなるバンドルにわたってダウンリンクチャネルの冗長バージョンが送信される、請求項３７に記載の装置。
【請求項４６】
前記バンドルは、Ｎ個の連続したＤＬサブフレームを備える、請求項４５に記載の装置。
【請求項４７】
前記バンドルは、Ｎ個の連続した非マルチメディアブロードキャスト単一周波数ネットワーク（非ＭＢＳＦＮ）ＤＬサブフレームを備える、請求項４５に記載の装置。
【請求項４８】
異なる数のリソースブロック（ＲＢ）は、ダウンリンクパイロット時間スロット（ＤｗＰＴＳ）を有するまたは有さない前記バンドル内のＤＬサブフレームについて前記ダウンリンクチャネルを送信するために使用される、請求項４５に記載の装置。
【請求項４９】
同じアグリゲーションレベルが、前記バンドル内の各サブフレームで前記ダウンリンクチャネルを送信するために使用される、請求項４５に記載の装置。
【請求項５０】
異なるアグリゲーションレベルが、前記バンドル内の異なるサブフレームで前記ダウンリンクチャネルを送信するために使用される、請求項４５に記載の装置。
【請求項５１】
サブフレームで使用されるアグリゲーションレベルは、そのサブフレーム内の利用可能なリソースに依存する、請求項５０に記載の装置。
【請求項５２】
前記バンドル内の各サブフレームにおけるあるバージョンの前記ダウンリンクチャネルは、個別にコーディングされ、変調され、リソースにマッピングされる、請求項４５に記載の装置。
【請求項５３】
異なるセットの制御チャネルエレメント（ＣＣＥ）が、異なるサブフレームで複数のバージョンの前記ダウンリンクチャネルを送信するために使用され、
前記異なるサブフレーム内の前記異なるセットのＣＣＥのロケーションはリンク付けされる、
請求項４５に記載の装置。
【請求項５４】
前記ダウンリンクチャネルは、物理ダウンリンク共有チャネル（ＰＤＳＣＨ）を備える、請求項４５に記載の装置。
【請求項５５】
前記ＴＴＩバンドリングは、多数のサブフレームにわたって単一のトランスポートブロック（ＴＢ）を送信することを備える、請求項５４に記載の装置。
【請求項５６】
前記ＴＢは、同じ変調およびコード化スキーム（ＭＣＳ）を使用して前記バンドルの各サブフレームで送信される、請求項５５に記載の装置。
【請求項５７】
前記ＴＢは、同数のリソースブロック（ＲＢ）を使用して前記バンドルの各サブフレームで送信される、請求項５５に記載の装置。
【請求項５８】
前記ＴＢは、異なる数のリソースブロック（ＲＢ）を使用して前記バンドルの各サブフレームで送信される、請求項５７に記載の装置。
【請求項５９】
制御チャネルと、前記ＴＴＩバンドリングを介して送信された対応する物理ダウンリンク共有チャネル（ＰＤＳＣＨ）との間のスケジューリングタイミングは、前記バンドル内の第１のサブフレームに基づいて決定される、請求項４５に記載の装置。
【請求項６０】
前記ＴＴＩバンドリングを介して送信された物理ダウンリンク共有チャネル（ＰＤＳＣＨ）と、対応するハイブリッド自動再送要求（ＨＡＲＱ）応答との間のＨＡＲＱタイミングは前記バンドル内の最後のサブフレームに基づいて決定される、請求項４５に記載の装置。
【請求項６１】
サポートされるハイブリッド自動再送要求（ＨＡＲＱ）プロセスの数は、ＴＴＩバンドリングサイズに依存する、請求項４５に記載の装置。
【請求項６２】
前記バンドル内の各サブフレームで前記ダウンリンクチャネルを送信するために、同じ復号候補が使用される、請求項４５に記載の装置。
【請求項６３】
前記バンドル内の開始サブフレームについてのサブフレームオフセットは、準静的または動的のうちの少なくとも１つで決定される、請求項４５に記載の装置。
【請求項６４】
前記バンドル内の前記開始サブフレームについての前記サブフレームオフセットはセル依存型である、請求項６３に記載の装置。
【請求項６５】
前記バンドルのサイズは、一定であるか、準静的に構成されるかのうちの少なくとも１つである、請求項４５に記載の装置。
【請求項６６】
あるバージョンの前記ダウンリンクチャネルを送信するための１つ以上の物理層（ＰＨＹ）動作は、前記バンドル内のサブフレームによって異なる、請求項４５に記載の装置。
【請求項６７】
前記バンドルのサイズは動的に構成されうる、請求項４５に記載の装置。
【請求項６８】
あるバージョンの前記ダウンリンクチャネルを送信するための１つ以上の物理層（ＰＨＹ）動作は、前記バンドル内の異なるサブフレームで同じである、請求項４５に記載の装置。
【請求項６９】
前記１つ以上のＤＬカバレッジ強化技法を利用するための手段は、前記第１のタイプのＵＥのために、制御チャネルに対して第１の技法を利用し、データチャネルに対して第２の技法を利用するように構成される、請求項３７に記載の装置。
【請求項７０】
第１のサブフレームで送られた制御チャネルが、後続のサブフレームでのデータ送信をスケジューリングするように、クロスサブフレームスケジューリングが利用される、請求項３７に記載の装置。
【請求項７１】
前記１つ以上のＤＬカバレッジ強化技法は、追加のビームフォーミング利得を利用することを備える、請求項３７に記載の装置。
【請求項７２】
異なるＤＬカバレッジ強化技法は、異なる復号候補で送信されるＤＬチャネルに対して使用される、請求項３７に記載の装置。
【請求項７３】
ワイヤレス通信のための装置であって、
第２のタイプのユーザ機器（ＵＥ）と比べて強化されたダウンリンク（ＤＬ）カバレッジを受信することとなる第１のタイプの１つ以上のＵＥを識別することと、
前記第１のタイプのＵＥと通信する際に１つ以上のＤＬカバレッジ強化技法を利用することと
を行うように構成された少なくとも１つのプロセッサと、前記１つ以上のＤＬカバレッジ強化技法は少なくとも、前記第２のタイプのＵＥと比べて前記第１のタイプのＵＥの低減されたＤＬ処理利得を調整するように設計される、
前記少なくとも１つのプロセッサに結合されたメモリと
を備える装置。
【請求項７４】
ワイヤレス通信のためのコンピュータプログラム製品であって、前記コンピュータプログラム製品は、命令を格納したコンピュータ可読媒体を備え、前記命令は、
第２のタイプのユーザ機器（ＵＥ）と比べて強化されたダウンリンク（ＤＬ）カバレッジを受信することとなる第１のタイプの１つ以上のＵＥを識別し、
前記第１のタイプのＵＥと通信する際に１つ以上のＤＬカバレッジ強化技法を利用する
ために１つ以上のプロセッサによって実行可能であり、前記１つ以上のＤＬカバレッジ強化技法は、少なくとも、前記第２のタイプのＵＥと比べて前記第１のタイプのＵＥの低減されたＤＬ処理利得を調整するように設計される、コンピュータプログラム製品。
【発明の詳細な説明】
【関連出願】
【０００１】
[0001]  本願は、参照により本明細書に組み込まれる、２０１２年８月１０日に出願された「Downlink Coverage Enhancements」と題する米国特許仮出願第６１／６８１、９０２号の利益を主張する。
【技術分野】
【０００２】
[0002]  本開示の特定の態様は一般に、ワイヤレス通信に関し、より具体的には、特定のタイプのユーザ機器（ＵＥ）へのダウンリンク（ＤＬ）カバレッジ（coverage）を増加させるための技法および装置に関する。
【背景技術】
【０００３】
[0003]  ワイヤレス通信システムは、音声、データ、等の、様々なタイプの通信コンテンツを提供するために広く展開されている。これらのシステムは、利用可能なシステムリソース（例えば、帯域幅および送信電力）を共有することによって多数のユーザとの通信をサポートすることができる多元接続システムでありうる。そのような多元接続システムの例には、符号分割多元接続（ＣＤＭＡ）システム、時分割多元接続（ＴＤＭＡ）システム、周波数分割多元接続（ＦＤＭＡ）システム、ロングタームエボリューション（ＬＴＥ（登録商標））アドバンスドシステムを含む第３世代パートナーシッププロジェクト（３ＧＰＰ（登録商標））ＬＴＥ、および直交周波数分割多元接続（ＯＦＤＭＡ）システムが含まれる。
【０００４】
[0004]  一般に、ワイヤレス多元接続通信システムは、多数のワイヤレス端末のための通信を同時にサポートすることができる。各端末は、順方向リンクおよび逆方向リンク上の送信を介して、１つ以上の基地局と通信する。順方向リンク（すなわちダウンリンク）は、基地局から端末への通信リンクを指し、逆方向リンク（すなわちアップリンク）は、端末から基地局への通信リンクを指す。この通信リンクは、単一入力単一出力、多入力単一出力、または多入力多出力（ＭＩＭＯ）システムを介して確立されうる。
【発明の概要】
【０００５】
[0005]  本開示の特定の態様は、一般に、特定のタイプのユーザ機器（ＵＥ）（例えば、低コスト、低データレートのＵＥ）のためにダウンリンクカバレッジを強化することに関する。
【０００６】
[0006]  本開示の特定の態様は、基地局によるワイヤレス通信のための方法を提供する。方法は、一般に、第２のタイプのＵＥと比べて（relative to）強化されたダウンリンク（ＤＬ）カバレッジを受信することとなる第１のタイプの１つ以上のＵＥを識別することと、第１のタイプのＵＥと通信する際に１つ以上のＤＬカバレッジ強化技法を利用することとを含み、この１つ以上のＤＬカバレッジ強化技法は、少なくとも、第２のタイプのＵＥと比べて第１のタイプのＵＥの低減されたＤＬ処理利得を調整する（adjust for）ように設計される。
【０００７】
[0007]  本開示の特定の態様は、ワイヤレス通信のための装置を提供する。装置は、一般に、第２のタイプのＵＥと比べて強化されたＤＬカバレッジを受信することとなる第１のタイプの１つ以上のＵＥを識別するための手段と、第１のタイプのＵＥと通信する際に１つ以上のＤＬカバレッジ強化技法を利用するための手段とを含み、この１つ以上のＤＬカバレッジ強化技法は、少なくとも、第２のタイプのＵＥと比べて第１のタイプのＵＥの低減されたＤＬ処理利得を調整するように設計される。
【０００８】
[0008]  本開示の特定の態様は、ワイヤレス通信のための装置を提供する。装置は一般に、少なくとも１つのプロセッサと、この少なくとも１つのプロセッサに結合されたメモリを含む。少なくとも１つのプロセッサは、典型的に、第２のタイプのＵＥと比べて強化されたＤＬカバレッジを受信することとなる第１のタイプの１つ以上のＵＥを識別し、第１のタイプのＵＥと通信する際に１つ以上のＤＬカバレッジ強化技法を利用するように構成され、この１つ以上のＤＬカバレッジ強化技法は、少なくとも、第２のタイプのＵＥと比べて第１のタイプのＵＥの低減されたＤＬ処理利得を調整するように設計される。
【０００９】
[0009]  本開示の特定の態様は、ワイヤレス通信のためのコンピュータプログラム製品を提供する。コンピュータプログラム製品は、典型的に、命令を格納したコンピュータ可読媒体を含む。命令は、一般に、第２のタイプのＵＥと比べて強化されたＤＬカバレッジを受信することとなる第１のタイプの１つ以上のＵＥを識別し、第１のタイプのＵＥと通信する際に１つ以上のＤＬカバレッジ強化技法を利用するために１つ以上のプロセッサによって実行可能であり、この１つ以上のＤＬカバレッジ強化技法は、少なくとも、第２のタイプのＵＥと比べて第１のタイプのＵＥの低減されたＤＬ処理利得を調整するように設計される。
【００１０】
[0010]  本開示の特定の態様は、ＵＥによるワイヤレス通信のための方法を提供する。方法は一般に、第２のタイプのＵＥと比べて強化されたＤＬカバレッジを受信することとなる第１のタイプのＵＥであるＵＥが、少なくとも、第２のタイプのＵＥと比べて第１のタイプのＵＥの低減されたＤＬ処理利得を調整するためにＵＥと通信する際に基地局によって利用される１つ以上のＤＬカバレッジ強化技法に関する情報を受信することと、１つ以上のＤＬカバレッジ強化技法を利用して送信された、基地局からの１つ以上のダウンリンク送信を受信することとを含む。特定の態様について、方法は、受信された情報に基づいて１つ以上のダウンリンク送信を処理することをさらに含む。
【００１１】
[0011]  本開示の特定の態様は、ワイヤレス通信のための装置を提供する。装置は一般に、第２のタイプのＵＥと比べて強化されたＤＬカバレッジを受信することとなる第１のタイプのＵＥである装置が、少なくとも、第２のタイプのＵＥと比べて第１のタイプのＵＥの低減されたＤＬ処理利得を調整するために装置と通信する際に基地局によって利用される１つ以上のＤＬカバレッジ強化技法に関する情報を受信するための手段と、１つ以上のＤＬカバレッジ強化技法を利用して送信された、基地局からの１つ以上のダウンリンク送信を受信するための手段とを含む。
【００１２】
[0012]  本開示の特定の態様は、ワイヤレス通信のための装置を提供する。装置は一般に、少なくとも１つのプロセッサと、この少なくとも１つのプロセッサに結合されたメモリとを含む。少なくとも１つのプロセッサは、第２のタイプのＵＥと比べて強化されたＤＬカバレッジを受信することとなる第１のタイプのＵＥである装置が、少なくとも、第２のタイプのＵＥと比べて第１のタイプのＵＥの低減されたＤＬ処理利得を調整するために装置と通信する際に基地局によって利用される１つ以上のＤＬカバレッジ強化技法に関する情報を受信し、１つ以上のＤＬカバレッジ強化技法を利用して送信された、基地局からの１つ以上のダウンリンク送信を受信するように構成される。
【００１３】
[0013]  本開示の特定の態様は、ワイヤレス通信のためのコンピュータプログラム製品を提供する。コンピュータプログラム製品は、典型的に、命令を格納したコンピュータ可読媒体を含み、この命令は、第２のタイプのＵＥと比べて強化されたＤＬカバレッジを受信することとなる第１のタイプのＵＥであるＵＥが、少なくとも、第２のタイプのＵＥと比べて第１のタイプのＵＥの低減されたＤＬ処理利得を調整するためにＵＥと通信する際に基地局によって利用される１つ以上のＤＬカバレッジ強化技法に関する情報を受信し、１つ以上のＤＬカバレッジ強化技法を利用して送信された、基地局からの１つ以上のダウンリンク送信を受信するために１つ以上のプロセッサによって実行可能である。
【図面の簡単な説明】
【００１４】
【図１】図１は、本開示の特定の態様に係る、例となるワイヤレス通信ネットワークを概念的に例示するブロック図である。
【図２】図２は、本開示の特定の態様に係る、ワイヤレス通信ネットワーク内のユーザ機器（ＵＥ）と通信状態にある発展型ノードＢ（ｅＮＢ）の例を概念的に例示するブロック図である。
【図３】図３は、本開示の特定の態様に係る、ワイヤレス通信ネットワークで用いる特定の無線アクセス技術（ＲＡＴ）のための例となるフレーム構造を概念的に例示するブロック図である。
【図４】図４は、本開示の特定の態様に係る、通常のサイクリックプレフィックスを有する、ダウンリンクのための２つの例となるサブフレームフォーマットを例示する。
【図５】図５は、本開示の特定の態様に係る、基地局によって実行されうる強化されたダウンリンクカバレッジについての例となる動作を例示する。
【図６】図６は、本開示の特定の態様に係る、ＵＥによって実行されうる強化されたダウンリンクカバレッジのための例となる動作を例示する。
【発明を実施するための形態】
【００１５】
[0020]  本開示の態様は、特定のユーザ機器（例えば、低コスト、低データレートのＵＥ）のためにダウンリンクカバレッジを強化するための技法および装置を提供する。
【００１６】
[0021]  いくつかのシステムについて、特定のタイプのＵＥは、他のタイプのＵＥと比べて、制限付きカバレッジを有しうるか、何らかの理由で、強化されたカバレッジを受信すべきである。例えば、いくつかのタイプの低コストのＵＥは、単一の受信チェーンしか有していない場合があり、その結果ＤＬカバレッジを制限し、他のタイプのＵＥは、多数の受信チェーンから利益を得る。さらに、これらのタイプのＵＥと通信するために、ダウンリンク上での送信電力は制限され、および／または、比較的狭い帯域幅が使用される可能性があり、それは周波数ダイバーシティ利得を低減させる。
【００１７】
[0022]  しかしながら、本明細書で提示される技法は、そのようなＵＥへのＤＬカバレッジを強化するのに役立ちうる。
【００１８】
[0023]  本明細書で説明される技法は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、単一キャリアＦＤＭＡ（ＳＣ−ＦＤＭＡ）ネットワーク等の、様々なワイヤレス通信ネットワークに対して使用されうる。「ネットワーク」および「システム」という用語は同じ意味で（interchangeably）使用されることが多い。ＣＤＭＡネットワークは、ＵＴＲＡ（Universal Terrestrial Radio Access）、ｃｄｍａ２０００等の無線技術を実現しうる。ＵＴＲＡは、広帯域ＣＤＭＡ（Ｗ−ＣＤＭＡ（登録商標））、時分割同期ＣＤＭＡ（ＴＤ−ＳＣＤＭＡ）、およびＣＤＭＡの他の変形を含む。ｃｄｍａ２０００は、ＩＳ−２０００、ＩＳ−９５、およびＩＳ−８５６規格をカバーする。ＴＤＭＡネットワークは、ＧＳＭ（登録商標）（Global System for Mobile Communications）のような無線技術を実現しうる。ＯＦＤＭＡネットワークは、次世代ＵＴＲＡ（Ｅ−ＵＴＲＡ）、ウルトラモバイルブロードバンド（ＵＭＢ）、ＩＥＥＥ ８０２．１１（Ｗｉ−Ｆｉ（登録商標））、ＩＥＥＥ ８０２．１６（ＷｉＭＡＸ（登録商標））、ＩＥＥＥ ８０２．２０、フラッシュＯＦＤＭ（登録商標）（Ｆｌａｓｈ−ＯＦＤＭ）等の無線技術を実現しうる。ＵＴＲＡおよびＥ−ＵＴＲＡは、ＵＭＴＳ（Universal Mobile Telecommunication System）の一部である。周波数分割複信（ＦＤＤ）および時分割複信（ＴＤＤ）の両方における、３ＧＰＰロングタームエボリューション（ＬＴＥ）およびＬＴＥ−アドバンスド（ＬＴＥ−Ａ）は、ダウンリンク上ではＯＦＤＭＡを、アップリンク上ではＳＣ−ＦＤＭＡを用いるＥ−ＵＴＲＡを使用するＵＭＴＳの新たなリリースである。ＵＴＲＡ、Ｅ―ＵＴＲＡ、ＵＭＴＳ、ＬＴＥ、ＬＴＥ−Ａ、およびＧＳＭは、「第３世代パートナーシッププロジェクト（３ＧＰＰ）」という名称の団体からの文書に記載されている。ｃｄｍａ２０００およびＵＭＢは、「第３世代パートナーシッププロジェクト２（３ＧＰＰ２）」という名称の団体からの文書に記載されている。本明細書で説明される技法は、上述されたワイヤレスネットワークおよび無線技術に加えて、他のワイヤレスネットワークおよび無線技術に対して使用されうる。明瞭さのために、これらの技法の特定の態様は、以下ではＬＴＥ／ＬＴＥ−Ａについて説明されており、ＬＴＥ／ＬＴＥ−Ａ専門用語が下記説明の大部分で使用されうる。
【００１９】
例となるワイヤレス通信システム
[0024]  図１は、ＬＴＥネットワークまたは何らかの他のワイヤレスネットワークでありうるワイヤレス通信ネットワーク１００を示す。ワイヤレスネットワーク１００は、多くの発展型ノードＢ（ｅＮＢ）１１０および他のネットワークエンティティを含みうる。ｅＮＢは、ユーザ機器（ＵＥ）と通信するエンティティでありえ、基地局、ノードＢ、アクセスポイント（ＡＰ）、等とも呼ばれうる。各ｅＮＢは、特定の地理的エリアに対して通信カバレッジを提供しうる。３ＧＰＰでは、「セル」という用語は、この用語が使用される文脈に依存して、ｅＮＢのカバレッジエリア、および／または、このカバレッジエリアにサービス提供するｅＮＢサブシステムを指しうる。
【００２０】
[0025]  ｅＮＢは、マクロセル、ピコセル、フェムトセル、および／または他のタイプのセルに対して通信カバレッジを提供しうる。マクロセルは、比較的大きな地理的エリア（例えば、半径数キロ）をカバーし、サービスに加入しているＵＥによる無制限アクセスを可能にしうる。ピコセルは、比較的小さい地理的エリアをカバーし、サービスに加入しているＵＥによる無制限のアクセスを可能にしうる。フェムトセルは、比較的小さい地理的エリア（例えば、ホーム）をカバーし、このフェムトセルと関連性のあるＵＥ（例えば、クローズド加入者グループ（ＣＳＧ）のＵＥ）による制限付きアクセスを可能にしうる。マクロセルのためのｅＮＢは、マクロｅＮＢと呼ばれうる。ピコセルのためのｅＮＢは、ピコｅＮＢと呼ばれうる。フェムトセルのためのｅＮＢは、フェムトｅＮＢまたはホームｅＮＢ（ＨｅＮＢ）と呼ばれうる。図１に示される例では、ｅＮＢ １１０ａは、マクロセル１０２ａのためのマクロｅＮＢであり、ｅＮＢ １１０ｂは、ピコセル１０２ｂのためのピコｅＮＢであり、ｅＮＢ １１０ｃは、フェムトセル１０２ｃのためのフェムトｅＮＢでありうる。１つのｅＮＢは、１つのセルまたは多数の（例えば、３つの）セルをサポートしうる。「ｅＮＢ」、「基地局」、および「セル」という用語は、本明細書では同じ意味で使用されうる。
【００２１】
[0026]  ワイヤレスネットワーク１００は中継局も含みうる。中継局は、アップストリーム局（例えば、ｅＮＢまたはＵＥ）からデータの送信を受信し、ダウンストリーム局（例えば、ＵＥまたはｅＮＢ）にデータの送信を送ることができるエンティティである。中継局はまた、他のＵＥのための送信を中継することができるＵＥでありうる。図１に示される例では、中継局１１０ｄは、ｅＮＢ １１０ａとＵＥ １２０ｄの間の通信を容易にするために、マクロｅＮＢ １１０ａおよびＵＥ １２０ｄと通信しうる。中継局は、中継ｅＮＢ、中継基地局、リレー、等とも呼ばれうる。
【００２２】
[0027]  ワイヤレスネットワーク１００は、異なるタイプのｅＮＢ、例えば、マクロｅＮＢ、ピコｅＮＢ、フェムトｅＮＢ、中継ｅＮＢ、等、を含む異種ネットワークでありうる。これらの異なるタイプのｅＮＢは、ワイヤレスネットワーク１００において異なる送信電力レベル、異なるカバレッジエリア、および干渉に対する異なるインパクトを有しうる。例えば、マクロｅＮＢが、高い送信電力レベル（例えば、５〜４０Ｗ）を有しうるのに対して、ピコｅＮＢ、フェムトｅＮＢ、および中継ｅＮＢは、より低い送信電力レベル（例えば、０．１〜２Ｗ）を有しうる。
【００２３】
[0028]  ネットワークコントローラ１３０は、これらｅＮＢのセットに結合し、これらｅＮＢに対して協調と制御を提供しうる。ネットワークコントローラ１３０は、バックホール（backhaul）を介してｅＮＢと通信しうる。ｅＮＢはまた、例えば、ワイヤレスまたはワイヤーラインバックホールを介して直接的にまたは間接的に互いに通信しうる。
【００２４】
[0029]  ＵＥ １２０（例えば、１２０ａ、１２０ｂ、１２０ｃ）は、ワイヤレスネットワーク１００全体にわたって分散しており、各ＵＥは据置式または可動式でありうる。ＵＥは、アクセス端末、端末、モバイル局（ＭＳ）、加入者ユニット、局（ＳＴＡ）、等とも呼ばれうる。ＵＥは、セルラ電話、携帯情報端末（ＰＤＡ）、ワイヤレスモデム、ワイヤレス通信デバイス、ハンドヘルドデバイス、ラップトップコンピュータ、コードレス電話、ワイヤレスローカルループ（ＷＬＬ）局、タブレット、スマートフォン、ネットブック、スマートブック、等でありうる。
【００２５】
[0030]  図２は、基地局／ｅＮＢ １１０およびＵＥ １２０の設計のブロック図であり、これらは、図１における基地局／ｅＮＢのうちの１つおよびＵＥのうちの１つでありうる。基地局１１０は、Ｔ個のアンテナ２３４ａ〜２３４ｔが備わっており、ＵＥ １２０は、Ｒ個のアンテナ２５２ａ〜２５２ｒが備わっており、ここで一般に、Ｔ≧１およびＲ≧１でありうる。
【００２６】
[0031]  基地局１１０では、送信プロセッサ２２０は、１つ以上のＵＥのためにデータソース２１２からデータを受信し、ＵＥから受信されたチャネル品質インジケータ（ＣＱＩ）に基づいて各ＵＥに対して１つ以上の変調およびコーディングスキーム（ＭＣＳ）を選択し、ＵＥごとにそのＵＥに対して選択されたＭＣＳに基づいてデータを処理（例えば、符号化および変調）し、すべてのＵＥに対してデータシンボルを提供しうる。送信プロセッサ２２０は、また、システム情報（例えば、準静的リソース分割情報（ＳＲＰＩ）、等）および制御情報（例えば、ＣＱＩ要求、グラント（grant）、上位層シグナリング、等）を処理し、オーバーヘッドシンボルおよび制御シンボルを提供しうる。プロセッサ２２０は、また、基準信号（例えば、共通基準信号（ＣＲＳ））および同期信号（例えば、プライマリ同期信号（ＰＳＳ）およびセカンダリ同期信号（ＳＳＳ））のための基準シンボルを生成しうる。送信（ＴＸ）多入力多出力（ＭＩＭＯ）プロセッサ２３０は、適用可能であれば、データシンボル、制御シンボル、オーバーヘッドシンボル、および／または基準シンボルに対して空間処理（例えば、プリコーディング）を実行し、Ｔ個の変調器（ＭＯＤ）２３２ａ〜２３２ｔにＴ個の出力シンボルストリームを提供しうる。各変調器２３２は、それぞれの出力シンボルストリーム（例えば、ＯＦＤＭ、等のための）を処理して、出力サンプルストリームを取得しうる。各変調器２３２は、この出力サンプルストリームをさらに処理（例えば、アナログ変換、増幅、フィルタリング、およびアップコンバート）して、ダウンリンク信号を取得しうる。変調器２３２ａ〜２３２ｔからのＴ個のダウンリンク信号は、それぞれＴ個のアンテナ２３４ａ〜２３４ｔを介して送信される。
【００２７】
[0032]  ＵＥ １２０では、アンテナ２５２ａ〜２５２ｒは、基地局１１０および／または他の基地局からダウンリンク信号を受信し、受信された信号をそれぞれ復調器（ＤＥＭＯＤ）２５４ａ〜２５４ｒに提供しうる。各復調器２５４は、その受信信号を調節（例えば、フィルタリング、増幅、ダウンコンバート、およびデジタル化）して、入力サンプルを取得しうる。各復調器２５４は、これら入力サンプル（例えば、ＯＦＤＭ、等のための）をさらに処理して、受信シンボルを取得しうる。ＭＩＭＯ検出器２５６は、Ｒ個すべての復調器２５４ａ〜２５４ｒからの受信シンボルを取得し、適用可能であれば、それらの受信シンボルに対してＭＩＭＯ検出を実行し、検出されたシンボルを提供しうる。受信プロセッサ２５８は、検出されたシンボルを処理（例えば、復調および復号）し、ＵＥ１２０についての復号済みデータをデータシンク２６０に提供し、復号済み制御情報およびシステム情報をコントローラ／プロセッサ２８０に提供しうる。チャネルプロセッサは、基準信号受信電力（ＲＳＲＰ）、受信信号強度インジケータ（ＲＳＳＩ）、基準信号受信品質（ＲＳＲＱ）、ＣＱＩ、等を決定しうる。
【００２８】
[0033]  アップリンク上では、ＵＥ １２０において、送信プロセッサ２６４が、データソース２６２からデータを、コントローラ／プロセッサ２８０から制御情報（例えば、ＲＳＲＰ、ＲＳＳＩ、ＲＳＲＱ、ＣＱＩ、等を備える報告のための）を受信し処理しうる。プロセッサ２６４はまた、１つ以上の基準信号のために基準シンボルを生成しうる。送信プロセッサ２６４からのシンボルは、適用可能であれば、ＴＸ ＭＩＭＯプロセッサ２６６によってプリコーディングされ、変調器２５４ａ〜２５４ｒ（例えば、ＳＣ−ＦＤＭ、ＯＦＤＭ、等のための）によってさらに処理され、基地局１１０に送信されうる。基地局１１０では、ＵＥ １２０および他のＵＥからのアップリンク信号は、アンテナ２３４によって受信され、復調器２３２によって処理され、適用可能であれば、ＭＩＭＯ検出器２３６によって検出され、受信プロセッサ２３８によってさらに処理されて、ＵＥ １２０によって送られた復号済みデータおよび制御情報が取得されうる。プロセッサ２３８は、復号済みデータをデータシンク２３９に、復号済み制御情報をコントローラ／プロセッサ２４０に提供しうる。基地局１１０は、通信ユニット２４４を含み、通信ユニット２４４を介してネットワークコントローラ１３０に通信しうる。ネットワークコントローラ１３０は、通信ユニット２９４、コントローラ／プロセッサ２９０、およびメモリ２９２を含みうる。
【００２９】
[0034]  コントローラ／プロセッサ２４０および２８０は、それぞれ、基地局１１０およびＵＥ １２０での動作を指図することができる。基地局１１０のプロセッサ２４０および／または他のプロセッサとモジュール、ならびに／あるいは、ＵＥ １２０のプロセッサ２８０および／または他のプロセッサとモジュールは、本明細書で説明される技法のためのプロセスを実行または指図しうる。メモリ２４２および２８２は、それぞれ、基地局１１０およびＵＥ １２０のためにデータおよびプログラムコードを記憶しうる。スケジューラ２４６は、ダウンリンクおよび／またはアップリンク上でのデータ送信のためにＵＥをスケジューリングしうる。
【００３０】
[0035]  ＵＥ １２０にデータを送信する際、基地局１１０は、データ割振サイズに少なくとも部分的に基づいてバンドリングサイズ（bundling size）を決定し、決定されたバンドリングサイズのバンドリングされた連続リソースブロック内のデータをプリコーディングするように構成され、各バンドル（bundle）内のリソースブロックは、共通プリコーディング行列でプリコーディングされうる。すなわち、リソースブロック内のＵＥ−ＲＳのような基準信号（ＲＳ）および／またはデータは、同じプリコーダを使用してプリコーディングされうる。バンドリングされたリソースブロック（ＲＢ）の各ＲＢ内のＵＥ−ＲＳに対して使用される電力レベルも同じでありうる。
【００３１】
[0036]  ＵＥ １２０は、基地局１１０から送信されたデータを復号するために補完処理を実行するように構成されうる。例えば、ＵＥ １２０は、連続したＲＢからなる複数のバンドルにおいて基地局から送信された受信データのデータ割振サイズに基づいてバンドリングサイズを決定し、ここにおいて、各バンドル内のリソースブロックにおける少なくとも１つの基準信号は共通プリコーディング行列でプリコーディングされる、少なくとも１つのプリコーディング済みチャネルを、決定されたバンドリングサイズと、基地局から送信された１つ以上のＲＳとに基づいて推定し、この推定されたプリコードディング済みチャネルを使用して、受信された複数のバンドルを復号するように構成されうる。
【００３２】
[0037]  図３は、ＬＴＥにおけるＦＤＤのための例示的なフレーム構造３００を示す。ダウンリンクおよびアップリンクの各々についての送信タイムラインは、無線フレームの単位に分割されうる。各無線フレームは、所定の持続時間（例えば、１０ミリ秒（ｍｓ））を有し、０〜９のインデクスを有する１０個のサブフレームに分割されうる。各サブフレームは２つのスロットを含みうる。このように、各無線フレームは、０〜１９のインデックスを有する２０個のスロットを含みうる。各スロットは、Ｌ個のシンボル期間、例えば、通常のサイクリックプレフィックス（図２に示されるような）の場合には７個のシンボル期間を、または拡張サイクリックプレフィックスの場合には６個のシンボル期間を含みうる。各サブフレーム内の２Ｌ個のシンボル期間は、０〜２Ｌ−１のインデックスが割り当てられうる。
【００３３】
[0038]  ＬＴＥでは、ｅＮＢは、ｅＮＢによってサポートされるセルごとに、システム帯域幅の中心１．０８ＭＨｚにおいてダウンリンク上でプライマリ同期信号（ＰＳＳ）およびセカンダリ同期信号（ＳＳＳ）を送信しうる。ＰＳＳおよびＳＳＳは、図３に示されるように、通常のサイクリックプレフィクスを有する各無線フレームのサブフレーム０および５におけるシンボル期間６および５でそれぞれ送信されうる。ＰＳＳおよびＳＳＳは、セル探索および捕捉のためにＵＥによって使用されうる。ｅＮＢは、ｅＮＢによってサポートされるセルごとに、システム帯域幅にわたってセル固有基準信号（ＣＲＳ）を送信しうる。ＣＲＳは、各サブフレームの特定のシンボル期間で送信されることができ、チャネル推定、チャネル品質測定、および／または他の機能を実行するためにＵＥによって使用されうる。ｅＮＢは、また、特定の無線フレームのスロット１のシンボル期間０〜３で物理ブロードキャストチャネル（ＰＢＣＨ）を送信しうる。ＰＢＣＨは何らかのシステム情報を搬送しうる。ｅＮＢは、特定のサブフレームにおける物理ダウンリンク共有チャネル（ＰＤＳＣＨ）上でシステム情報ブロック（ＳＩＢ）のような他のシステム情報を送信しうる。ｅＮＢは、サブフレームの最初のＢ個のシンボル期間に物理ダウンリンク制御チャネル（ＰＤＣＣＨ）上で制御情報／データを送信しうる、ここで、Ｂはサブフレームごとに設定可能でありうる。ｅＮＢは、各サブフレームの残りのシンボル期間にＰＤＳＣＨ上でトラフィックデータおよび／または他のデータを送信しうる。
【００３４】
[0039]  ＬＴＥにおけるＰＳＳ、ＳＳＳ、ＣＲＳ、およびＰＢＣＨは、「Evolved Universal Terrestrial Radio Access (E-UTRA); Physical Channels and Modulation」と題する、３ＧＰＰ ＴＳ ３６．２１１で説明されており、これは公に入手可能である。
【００３５】
[0040]  図４は、通常のサイクリックプレフィックスを有する、ダウンリンクのための２つの例となるサブフレームフォーマット４１０および４２０を示す。ダウンリンクのための利用可能な時間周波数リソースは、リソースブロックに分割されうる。各リソースブロックは、１スロットに１２個のサブキャリアをカバーすることができ、多くのリソースエレメントを含みうる。各リソースエレメントは、１つのシンボル期間に１つのサブキャリアをカバーし、実数値または複素数値でありうる１つの変調シンボルを送るために使用されうる。
【００３６】
[0041]  サブフレームフォーマット４１０は、２つのアンテナを備えたｅＮＢに対して使用されうる。ＣＲＳは、シンボル期間０、４、７、および１１に、アンテナ０および１から送信されうる。基準信号は、送信機および受信機によってアプリオリ（a priori）に知られている信号であり、パイロットとも呼ばれうる。ＣＲＳは、例えば、セルアイデンティティ（ＩＤ）に基づいて生成された、セルに固有の基準信号である。図４では、ラベルＲａを有する所与のリソースエレメントに関して、そのリソースエレメント上でアンテナａから変調シンボルが送信されえ、そのリソースエレメント上ではその他のアンテナから変調シンボルはまったく送信されない。サブフレームフォーマット４２０は、４つのアンテナを備えたｅＮＢに対して使用されうる。ＣＲＳは、シンボル期間０、４、７、および１１にアンテナ０および１から、シンボル期間１および８にアンテナ２および３から送信されうる。サブフレームフォーマット４１０および４２０の両方について、ＣＲＳは、セルＩＤに基づいて決定されうる、均等に間隔が空けられたサブキャリアで送信されうる。異なるｅＮＢは、それらのＣＲＳを、それらのセルＩＤに依存して、同じまたは異なるサブキャリアで送信しうる。サブフレームフォーマット４１０および４２０の両方について、ＣＲＳに対して使用されないリソースエレメントは、データ（例えば、トラフィックデータ、制御データ、および／または他のデータ）を送信するために使用されうる。
【００３７】
[0042]  インタレース構造は、ＬＴＥにおけるＦＤＤのためのダウンリンクおよびアップリンクの各々に対して使用されうる。例えば、０〜Ｑ−１のインデックスを有するＱ個のインタレースが定義されえ、ここで、Ｑは４、６、８、１０、または何らかの他の値に等しい可能性がある。各インタレースは、Ｑ個のフレームぶん離間したサブフレームを含みうる。具体的には、インタレースｑは、サブフレームｑ、ｑ＋Ｑ、ｑ＋２Ｑ、等を含みえ、ここで、ｑ∈｛０，．．．，Ｑ−１｝である。
【００３８】
[0043]  ワイヤレスネットワークは、ダウンリンクおよびアップリンク上でのデータ送信に関するハイブリッド自動再送要求（ＨＡＲＱ）をサポートしうる。ＨＡＲＱについて、送信機（例えば、ｅＮＢ １１０）は、パケットが受信機（例えば、ＵＥ １２０）によって正確に復号されるかまたは何らかの他の終了条件に遭遇するまで、パケットの１つ以上の送信を送ることができる。同期ＨＡＲＱについて、パケットのすべての送信は、単一のインタレースのサブフレームで送られうる。非同期ＨＡＲＱについて、パケットの各送信は、任意のサブフレームで送られうる。
【００３９】
[0044]  １つのＵＥは、多数のｅＮＢのカバレッジ内に位置しうる。これらｅＮＢのうちの１つは、ＵＥにサービス提供するために選択されうる。サービングｅＮＢは、受信信号強度、受信信号品質、パスロス、等のような様々な基準に基づいて選択されうる。受信信号品質は、信号対干渉および雑音比（ＳＩＮＲ）、または、基準信号受信品質（ＲＳＲＱ）、あるいは何らかの他の基準によって定められうる。ＵＥは、干渉を引き起こす１つ以上のｅＮＢから高い干渉をＵＥが観測しうる支配的な干渉シナリオで動作しうる。
【００４０】
ダウンリンクカバレッジ問題
[0045]  特定のワイヤレス通信システム（例えば、ＬＴＥ Ｒｅｌ−８／９／１０における）によると、ＰＤＣＣＨは、サブフレームの最初の数個のシンボルに位置しうる。これらのシステムの場合、ＰＤＣＣＨはシステム帯域幅全体に十分に分散されうる。加えて、ＰＤＣＣＨは、ＰＤＳＣＨと時分割多重化（ＴＤＭ）されうる。このように、サブフレームは、制御領域およびデータ領域へと効率的に分割される。
【００４１】
[0046]  特定のシステムでは、新たな制御チャネル（例えば、強化されたＰＤＣＣＨすなわちｅＰＤＣＣＨ）が導入されうる。サブフレーム内の最初の数個の制御シンボルを占有する従来のまたは「レガシ（legacy）」ＰＤＣＣＨとは異なり、ｅＰＤＣＣＨは、ＰＤＳＣＨと類似して、データ領域を占有しうる。ｅＰＤＣＣＨは、制御チャネル容量を増加させ、周波数ドメインのセル間干渉協調（ＩＣＩＣ）をサポートし、制御チャネルリソースの空間再利用の改善を達成し、ビームフォーミングおよび／またはダイバーシティをサポートし、新たなキャリアタイプ（ＮＣＴ）でおよびマルチメディアブロードキャスト単一周波数ネットワーク（ＭＢＳＦＮ）サブフレームで動作し、レガシＵＥと同じキャリア上に共存しうる。
【００４２】
[0047]  典型的なＬＴＥ設計の主な焦点のうちの１つは、スペクトル効率性の改善、ユビキタスカバレッジ、強化されたサービス品質（ＱｏＳ）サポート、等に対するものである。これは、典型的に、最先端のスマートフォン、タブレット、または他のそのようなデバイスといった高性能デバイスに帰着する。
【００４３】
[0048]  しかしながら、低コスト、低データレートのデバイス（例えば、ＬＴＥ Ｒｅｌ−１１に準拠した）をサポートすることもまた望ましい可能性がある。いくつかの市場予測（market projection）は、低コストのデバイスの数が今日の携帯電話を大きく上回りうることを示している。そのような低コスト、低レートのデバイスを設計するために、最大帯域幅の低減、単一受信無線周波数（ＲＦ）チェーンの使用、ピークレートの低減、送信電力の低減、および半二重動作といった様々な設計態様が用いられうる。
【００４４】
[0049]  一般に、低コストのデバイスに対して意図されたデータレートが、従来のデバイスよりもかなり低い（例えば、１００ｋｂｐｓ未満である）ため、コストを低減させるために、狭帯域幅でのみ低コストのデバイスを動作させることが可能である。大まかに２つの動作シナリオが考慮されている。１つの直接的な展開シナリオは、マシンタイプ通信（ＭＴＣ）動作をサポートするために何らかの狭帯域幅（例えば、１．２５ＭＨｚ）を設けることである。そのような動作は規格の変更を伴なわない。
【００４５】
[0050]  第２の、場合によってはより興味深い展開シナリオは、低コストのＵＥが通常のＵＥと共存しうるように、広帯域幅で低コストのＵＥを動作させることである。広帯域幅では低コストのＵＥに対して少なくとも２つの可能な動作が存在する。第１に、低コストのＵＥは、通常のＵＥと同じ広帯域幅（例えば、最大２０ＭＨｚ）で依然として動作しうる。これは、既存の規格への変更を伴わずに済むが、コストおよびバッテリ電力消費を低減させるのに役立たない場合がある。第２に、低コストのＵＥは、より小さい帯域幅（より大きい帯域幅内の）で動作しうる。
【００４６】
[0051]  特定のシステム（例えば、ＬＥＴ Ｒｅｌ−８／９／１０）では、送信時間インターバル（ＴＴＩ）またはサブフレームバンドリングがＵＥごとに構成されうる。サブフレームバンドリング動作は、例えば、上位層から提供されるパラメータ「ttiBundling」によって構成されうる。ＵＥについてＴＴＩバンドリング（TTI bundling）が構成されている場合、サブフレームバンドリング動作は、アップリンク共有チャネル（ＵＬ−ＳＣＨ）に対してのみ適用されうる（そして、アップリンク制御情報のような他のＵＬ信号／トラフィックに対しては適用されない）。バンドリングサイズは一定（例えば、４つのサブフレーム）でありうる。すなわち、物理アップリンク共有チャネル（ＰＵＳＣＨ）は、４つの連続したサブフレームで送信され、同じハイブリッド自動再送要求（ＨＡＲＱ）プロセス番号が、バンドリングされたサブフレームの各々において使用されうる。リソース割振サイズは制限され（例えば、最大で３個のＲＢに）、変調オーダは一定でありうる（例えば、直交位相偏移キーイング（ＱＰＳＫ）では２に設定される）。１つのバンドルが単一のリソースとして扱われうる（例えば、単一のグラントおよび単一のＨＡＲＱ肯定応答（ＡＣＫ）がバンドルごとに使用されうる）。
【００４７】
[0052]  ＴＴＩバンドリングは主に低レートのトラフィックに対して使用されるが、ＴＴＩバンドリングの実現には他の動機（motive）が存在する。セグメンテーションはＴＴＩバンドリングに代わるものであるが、不利な点が存在する。例えば、ボイスオーバインターネットプロトコル（ＶｏＩＰ）パケットが、低いＵＬリンクバジェットに起因して、単一のＴＴＩでは送信されることができない場合、層２（Ｌ２）セグメンテーションが適用されうる。例えば、ＶｏＩＰパケットは、４つの連続したＴＴＩで送信される４つの無線リンク制御（ＲＬＣ）プロトコルデータユニット（ＰＤＵ）にセグメント化され、十分なカバレッジを達成するために２〜３つのＨＡＲＱ再送信がターゲットとされうる。このアプローチは様々な欠点を有する。例えば、各追加のセグメントは、１バイトのＲＬＣ、１バイトの媒体アクセス制御（ＭＡＣ）、および３バイトの層１（Ｌ１）サイクリック冗長チェック（ＣＲＣ）オーバーヘッド（すなわち、３３バイトのＲＬＣサービスデータユニット（ＳＤＵ）サイズを想定した場合に１５％のオーバーヘッド）を導入する。これは、４つのセグメントについて、４５％の追加のＬ１／Ｌ２オーバーヘッドが存在することを意味する。すべてのセグメントについてのＨＡＲＱ送信／再送信は、ＰＤＣＣＨ上でのグラントを必然的に伴い（entail）、それはかなりのＰＤＣＣＨリソースを消費する。各ＨＡＲＱ送信または再送信の後に、物理ＨＡＲＱインジケータチャネル（ＰＨＩＣＨ）上でのＨＡＲＱフィードバックが続く。負のＡＣＫ（ＮＡＣＫ）対ＡＣＫ誤差比を１０−３と想定した場合、多くの数のＨＡＲＱフィードバック信号は、高いパケット損失確率（packet loss probability）を招く。例えば、１２個のＨＡＲＱフィードバック信号が送られる場合、ＨＡＲＱフィードバック誤差比は、１．２×１０−２程度でありうる。１０−２を超えるパケット損失比は、一般に、ＶｏＩＰトラフィックには許容不可能である。
【００４８】
[0053]  さらに、１つのＴＴＩバンドルにつき単一のアップリンクグラントおよび単一のＰＨＩＣＨ信号だけを使用することは有利でありうる。また、Ｌ２セグメンテーションが適用されずに済むため、Ｌ１およびＬ２オーバーヘッドが最小化されうる。
【００４９】
[0054]  ＴＴＩバンドリングがＵＬカバレッジ強化に対しても有用であることがわかる。例えば、中間データレートのＰＵＳＣＨおよびＵＬ ＶｏＩＰに対してカバレッジを増加させることが望まれるだろう。可能性のある解決策の特定を考慮した最小利得は、中間データレートのＰＵＳＣＨおよびＵＬ ＶｏＩＰの両方について１ｄＢである。可能性のある解決策は、中間データレートおよびＶｏＩＰについてのＴＴＩバンドリング強化を含む。この解決策について、Ｌ１（および上位層）のプロトコルオーバヘッドおよび待ち時間の両方が考慮されうる。
【００５０】
例となるダウンリンクカバレッジ強化
[0055]  低コストのデバイスのためのＤＬカバレッジに関する様々な問題が存在する。例えば、低コストのＵＥは、１つの受信（ＲＸ）アンテナしか有しておらず、その結果、ＤＬカバレッジに影響を及ぼしうる。送信を行うセルが低減された送信電力を使用しうるため（例えば、他のセルとの干渉を減らすために）、ＤＬカバレッジ強化はまた望ましい可能性がある。
【００５１】
[0056]  ＬＴＥ Ｒｅｌ−８では、少なくとも広いシステム帯域幅について、基地局（ｅＮＢ）は、ＵＥのためのＤＬカバレッジを管理するために電力制御および／またはリソース制御を使用することにおいて柔軟性を有しうる。カバレッジ制限付きＵＥのための制御チャネルは、大きいアグリゲーションレベルを使用し、特に所与のサブフレームにおいて同時の制御チャネル送信がほとんど存在しない場合、さらに電力ブーストされることができる（恐らくは何らかの制限を伴って）。ＵＥのためのデータチャネルは、低いコーディングレートを有しており、特にＰＤＳＣＨが狭帯域であり、所与のサブフレームにおいて同時のデータ送信がほとんど存在しない場合に、これも同様に電力ブーストされうる（恐らくは何らかの制限を伴って）。
【００５２】
[0057]  カバレッジは典型的にＵＬが制限されているため、任意のＤＬカバレッジ強化を標準化したいという強い要望はいくつかのケース（例えば、ＬＥＴ Ｒｅｌ−８）では存在しない可能性がある。しかしながら、将来的に（例えば、ＬＴＥ Ｒｅｌ−１２では）、ＤＬカバレッジ改善がより一層望まれうる。そのようなケースでは、ＵＥは、１つの受信チェーン（２に対して）しか有しておらず、これは少なくとも３ｄＢの損失に帰着しうる。ＵＥはまた、狭帯域動作を有しえ、それは、周波数ダイバーシティ利得損失、制限付き電力ブースト可能性、および制限付き最低可能コーディングレートに帰着しうる。
【００５３】
[0058]  しかしながら、本明細書で提示される技法は、可能なＤＬカバレッジ強化を提供しうる。そのようなＤＬカバレッジ強化は、ダウンリンク制御チャネルを（例えば、低減されたペイロードサイズ、１つのサブフレームについての増加された数のリソース、異なるサブフレームにわたったＴＴＩバンドリング、および／またはビームフォーミングを介して）送信するために、ならびに、ダウンリンクデータチャネルを（例えば、ビームフォーミングおよび／または異なるサブフレームにわたったＴＴＩバンドリング）送信するために行われうる。
【００５４】
[0059]  上で概説されたように、ＤＬカバレッジ強化は、様々な制御チャネルを送信するために利用されうる。そのような制御チャネルは、ＰＢＣＨ、物理制御フォーマットインジケータチャネル（ＰＣＦＩＣＨ）（または強化されたｅＰＣＦＩＣＨ）、ＰＨＩＣＨ（または強化されたｅＰＨＩＣＨ），ＰＤＣＣＨ（または強化されたｅＰＤＣＣＨ）を含む。ＰＢＣＨの場合、カバレッジは、ＰＢＣＨペイロードサイズを低減させること（例えば、９個のリザーブドビットを含む現在の２４ビットからより小さい数のビットに）によって強化されうる。
【００５５】
[0060]  ＰＣＦＩＣＨまたはｅＰＣＦＩＣＨの場合、ＤＬカバレッジは、コーディングレートが低減されるように、リソースの数を増加させること（例えば、１６個のリソースエレメント（ＲＥ）から３２個のＲＥに単純な受信を介して増加させること）によって強化されうる。セルは、異なるカバレッジをターゲットとする１つ以上の（ｅ）ＰＣＦＩＣＨ構成をサポートし、サブフレームでどれを使用するかを示しうる。いくつかのケースでは、動的な制御更新（例えば、（ｅ）ＰＣＦＩＣＨに対する要望を低減／除外すること）のサポートはない可能性がある。
【００５６】
[0061]  ＰＨＩＣＨまたはｅＰＨＩＣＨの場合、ＤＬカバレッジは、コーディングレートが低減されるように、リソースの数を増加させる（例えば、１２個のＲＥから２４個のＲＥに単純な受信を介して増加される）ことによって強化されうる。セルは、異なるカバレッジをターゲットとする１つ以上の（ｅ）ＰＨＩＣＨ構成をサポートし、サブフレームでどの構成を使用するかを示しうる（シグナリングを介して）。いくつかのケースでは、（ｅ）ＰＨＩＣＨベースのＵＬ ＨＡＲＱ動作はまったく存在しない可能性がある。
【００５７】
[0062]  ＰＤＣＣＨおよびｅＰＤＣＣＨの場合、ＤＬカバレッジは、ペイロードサイズ低減によって強化されうる。例えば、よりコンパクトなダウンリンク制御情報（ＤＣＩ）フォーマットが導入されうる。ペイロードサイズ低減の程度が、ブロードキャストおよびユニキャスト制御に対して異なりうることに留意されたい（例えば、ブロードキャストに対するペイロードサイズ低減は、ユニキャストに対するペイロードサイズ低減よりも小さい可能性がある）。具体的には、Ｒｅ−８のケース（ＤＣＩフォーマット１Ａは、共通探索空間においてブロードキャストとユニキャストに対して同じサイズを有する）にあるように、ＤＣＩスケジューリングブロードキャストは、ＤＣＩスケジューリングユニキャストと同じサイズではない場合がある。
【００５８】
[0063]  （ｅ）ＰＤＣＣＨに対するＤＬカバレッジもまた、リソースを増加させることで強化されうる。例えば、通常のＵＥの場合、３６／７３／１４４／２８８個のリソースエレメントに対応して、それぞれ、アグリゲーションレベル１／２／４／８がＰＤＣＣＨについてサポートされている。カバレッジ制限付きのＵＥの場合、（ｅ）ＰＤＣＣＨに対する異なるセットのアグリゲーションレベル（例えば、２／４／８／１６）が考慮されうる。しかしながら、少なくともＰＤＣＣＨについて、システム帯域幅が小さい（例えば、６個のＲＢである）場合、このオプションは可能ではない場合がある。
【００５９】
[0064]  カバレッジはまた、ＴＴＩバンドリングを利用することによって強化されうる。例えば、単一のＤＣＩは、多数のサブフレームにわたって（over）送信されうる。同じバンドルの異なるサブフレームにおいて同じＤＣＩを搬送するＰＤＣＣＨは、同じアグリゲーションレベルを使用しうる。異なるレベルを有することは可能ではありうる（例えば、無線リソース制御（ＲＲＣ）構成によって、または、恐らくは例えばサブフレームｉｄｘと組み合わされることで）が、それは、複雑性により好ましくない場合がある。各サブフレーム（バンドルの）内のＰＤＣＣＨは、連帯的に実行するではなく、個別にコーディングされ（coded）、変調され、リソースへマッピングされうる。いくつかのケースでは、同じ変調／コーディングレート（例えば、バンドル内のサブフレームにわたる反復）を使用することが望まれうる。各サブフレーム内の制御チャネルエレメント（ＣＣＥ）は、同じである必要はないが、ＣＣＥが暗黙的にリンク付けされることが望まれうる。例えば、ＵＥ固有探索空間はサブフレーム依存型でありうるが、同じ復号候補インデックスがＵＥ固有探索空間で使用されうる。
【００６０】
[0065]  いくつかのケースでは、リソース利用性に依存して、同じバンドル内のサブフレームによってアグリゲーションレベルが異なりうる。例えば、ＰＤＣＣＨまたはｅＰＤＣＣＨに対して利用可能なリソース（サブフレームタイプに基づいた、および／または、ＰＣＦＩＣＨまたはｅＰＣＦＩＣＨによって示される）は制限されえ、ＵＥは、第１のサブフレーム内のレベル８のＰＤＣＣＨまたはｅＰＤＣＣＨから開始し、第２のサブフレームにリソース利用制限がある場合、同じバンドル内の第２のサブフレームではレベル４を使用しうる。
【００６１】
[0066]  いくつかのケースでは、ＵＥは、ＤＬカバレッジ強化に対してＴＴＩバンドリングが使用される場合、早期復号（early decoding）を実行しうる。例えば、バンドル内の最後のサブフレームの前にＵＥがＰＤＣＣＨ／ｅＰＤＣＣＨ／ＰＤＳＣＨを成功裏に復号した場合、ＵＥは、バンドル内の残りのサブフレームについての復号を省略しうる（これは、ＵＥでの電力消費を低減させうる）。
【００６２】
[0067]  ＴＴＩバンドリングを利用する際にブラインド復号（blind decodes）の数を増加させないことが望まれうる。例えば、ＵＥに、ＤＣＩのためのバンドル内のサブフレームにわたって、同じアグリゲーションレベルと、このアグリゲーションレベルの同じ復号候補とをモニタリングさせることによって、１つのサブフレームにつき同数のブラインド復号を維持することは可能でありうる。
【００６３】
[0068]  例として、アグリゲーションレベルＬと復号候補ｋとの組み合わせを示すために、｛Ｌ，ｋ｝が使用されうる。ＰＤＣＣＨについて、Ｒｅｌ−８にあるように、｛６，６，２，２｝復号候補に、それぞれ、アグリゲーションレベル｛１，２，４ ８｝が存在すると仮定する。この例の場合、バンドリングサイズＮは、Ｎ＝２であると想定されうる。次に、ＵＥについての復号候補は、バンドル内のすべてのサブフレームについて、｛１，１｝，｛１，２｝，…，｛１，６｝，｛２，１｝，｛２，２｝，…，｛２，６｝，｛４，１｝，｛４，２｝，｛８，１｝，｛８，２｝である。換言すると、特定のＤＣＩについて、バンドル内の第１のサブフレームで｛８，１｝を使用して送信されると、同じ｛８，１｝が、同じバンドル内の残りのサブフレームすべてにおいて使用されることとなる。
【００６４】
[0069]  追加の柔軟性もまた可能でありうる（例えば、何らかの暗黙的な導出を介して）が、ｅＮＢおよびＵＥはアラインされるべきである。
【００６５】
[0070]  ＴＴＩバンドリングを利用する際、ＵＥが、バンドル内の開始サブフレームに対応するサブフレームを示す「サブフレームオフセット」を知ることが望まれうる。いくつかのケースでは、バンドリング内の制御チャネルについての開始サブフレームは、ハードコーディングされうるか、準静的に決定されうるか、または動的に決定されうる。異なる制御チャネル復号候補は、異なるサブフレームオフセット決定スキームを有しうる。例えば、共通の探索空間は、ハードコーディングされたスキームを有しうるが、ＵＥ固有探索空間は準静的なスキームを有しうる。
【００６６】
[0071]  上で概説されたように、ハードコーディングされたサブフレームオフセットが利用されうる。例えば、バンドリングサイズが２である場合、バンドリング動作が常に、セルについて、奇数のサブフレームから開始することが特定されうる。それは、セル依存型オフセット（例えば、セルＩＤとリンク付けされた）を有するためにさらに強化されうる。例として、セルＩＤに基づいて、あるセルは、奇数のサブフレームオフセットを有することが決定されるが、別のセルは偶数のサブフレームオフセットを有することが決定されうる。準静的なサブフレームオフセットもまた、例えば、ＲＲＣ構成を介して利用されうる。動的なオフセットは、例えば、他のチャネルによって示されるか、フレームインデックスとリンク付されるか、ＵＥによってブラインドに検出されるか、または何らかの他のメカニズムによるものでありうる。
【００６７】
[0072]  ＵＥはまた、ほとんどの場合（most likely）、ＴＴＩバンドリングサイズを知らされうる。サブフレームの数は一定（例えば、４）であるか、設定可能（例えば、ＲＲＣを介して）であるか、または動的でありうる。レート整合、スクランブリング、インターリービング、および他のそのような物理層動作は、特にバンドリングサイズが動的に決定される場合、同じバンドル内のサブフレームについて同じでありうる。代替的に、レート整合、スクランブリング、インターリービング、または何らかの他の物理層動作は、特にバンドリングサイズが一定であるか準静的に設定されている場合、場合、同じバンドル内のサブフレームごとに異なりうる。
【００６８】
[0073]  ＴＴＩバンドリングを有する制御チャネルのＵＥ復号は、バンドリングパラメータに依存して変化しうる。ＵＥは、特にサブフレームオフセットおよび／またはバンドリングサイズが一定であるかあるいは準静的に決定された場合、Ｎ個の（バンドリングサイズ）サブフレームおきに制御チャネル復号を実行しうる。代替的に、ＵＥは、特にサブフレームオフセットおよび／またはバンドリングサイズが動的に決定される場合、サブフレーム１つ１つに対して制御チャネルの復号を実行しうる。いくつかのケースでは、ＵＥは、最初に現在のサブフレームを復号し、次に、現在のサブフレームを以前のものとソフト結合（soft combine）しようと試みうる。ＵＥは、冗長結合のために、以前のサブフレームからのソフト検出シンボル（例えば、尤度比、すなわちＬＬＲ）を直接記憶しうる。ＵＥがバンドリングサイズを知らないと、それは、ＨＡＲＱタイミングを知らない場合がある。この問題に取り組むために、ＵＥは、グラントにおいてＨＡＲＱタイミングが知らされうる。例として、バンドルサイズが２つのサブフレームである場合、グラント内の１ビットは、バンドル内の最後のサブフレームが奇数の番号のサブフレームであるかまたは偶数の番号のサブフレームであるかを示すために含まれうる。サブフレームオフセットのブラインド復号および／またはバンドリングのサイズについて、ｅＮＢとＵＥとの間のオフセットについて曖昧さが存在しうる（例えば、ＵＥは誤ったオフセットを決定しうる）。これは、上述されたような制御チャネル設計（例えば、オフセット依存型レート整合、スクランブリング、インターリービング、等）を変更することで軽減されうる。
【００６９】
[0074]  いくつかのケースでは、ＤＬカバレッジは、ローカライズドｅＰＤＣＣＨに対する追加のビームフォーミング利得によって強化されうる。より多くの数（例えば、８個よりも多く）の送信（Ｔｘ）アンテナもまた考慮されうる。ｅＰＤＣＣＨチャネル推定および復号性能を改善しようとする目的で、同じバンドルの異なるサブフレーム内のｅＰＤＣＣＨに対して、同じプリコーディングが使用されうる。
【００７０】
[0075]  異なる制御チャネル復号候補は、異なるＤＬカバレッジ強化技法を採用しうる。例えば、共通探索空間制御チャネル送信は、ＴＴＩバンドリングに依存し、分散型ｅＰＤＣＣＨもまたＴＴＩバンドリングに依存するが、ローカライズドｅＰＤＣＣＨはビームフォーミングに依存しうる。
【００７１】
[0076]  ＤＬカバレッジを強化するための様々な技法（上述されており以下でさらに詳述される）は、また、データチャネルを送信するために適用されうる。
【００７２】
[0077]  いくつかのケースでは、ＰＤＳＣＨは、送信ダイバーシティを利用して送信されうる。そのような送信は、ブロードキャストまたはユニキャストされうる。ＴＴＩバンドリングは、ＤＬデータを送信する際に利用されうる。単一の転送ブロック（ＴＢ）が多数のサブフレームにわたって（over）送信されうる。サブフレームの数は一定（例えば、４）であるか、設定可能（例えば、ＲＲＣを介して）であるか、または制御チャネルを介して動的に示されうる。同じＴＢのための各サブフレーム内のＰＤＳＣＨは、連帯的に実行するではなく、個別にコーディングされ、変調され、リソースへマッピングされうる。特定の態様の場合、同じバンドルのすべてのサブフレーム内のＰＤＳＣＨに対して、同じ変調およびコード化スキーム（ＭＣＳ）が使用される（例えば、異なるサブフレームいわたる単純な受信）。他の態様の場合、同じバンドルのすべてのサブフレーム内のＰＤＳＣＨに対して、異なるＭＣＳが使用され、同じバンドルの異なるサブフレーム内の様々なＭＣＳは互いにリンク付けされる。換言すると、ＵＥは、バンドルの第１のサブフレームに対するＭＣＳスキームが知らされ、ＵＥは、バンドルの残りのサブフレームについてのＭＣＳを、第１のサブフレームについてのＭＣＳに基づいて決定しうる。
【００７３】
[0078]  いくつかのケースでは、異なるサブフレームで同じＴＢを搬送するＰＤＳＣＨは、同じ量のＲＢを使用しうるが、これらのＲＢのロケーションは同じである必要はない。これは、ホッピングが可能であろうとなかろうと、リソース割振タイプに依存しうる。しかしながら、特定の態様について、第２以降のサブフレーム内のＲＢのロケーションは、同じバンドルの第１のサブフレーム内のＲＢのロケーションに基づいて暗黙的に導出されうる。
【００７４】
[0079]  例えば、ＰＤＳＣＨのためのＤＬカバレッジを強化するために、追加のビームフォーミング利得がまた利用されうる。特定の態様について、ＰＤＳＣＨチャネル推定および復号性能を改善しようとする目的で、同じバンドル内のＰＤＳＣＨに対して、同じプリコーディングが使用されうる。
【００７５】
[0080]  制御チャネルについて上述されたように、バンドリングにおけるＰＤＳＣＨについてのサブフレームオフセットは、ハードコーディングされうるか、準静的に決定されうるか、または動的に決定されうる。例えば、異なるＰＤＳＣＨは、異なるサブフレームオフセット決定スキーム（例えば、ブロードキャスト対ユニキャスト）を有しうる。
【００７６】
[0081]  いくつかのケースでは、強化されたＤＬカバレッジについて、ＴＴＩバンドリング下でのＤＬ ＨＡＲＱ動作が調整されうる。同じサブフレームにおいて：スケジューリングタイミング（（ｅ）ＰＤＣＣＨからＰＤＳＣＨへの）は、通常のＵＥと同様でありうる。同じサブフレームスケジューリングについて、制御のためにバンドリングされたサブフレームの数は、データのためのものと同じであるかまたはそれ未満でありうる。これは、単純でありうるが、ＵＥは、制御が復号されうる前にデータをバッファしなければならない。代替として、クロスサブフレームスケジューリング（すなわち、制御およびデータに対して異なるサブフレーム）が利用されえ、これは、ＵＥでのバッファリング含意（buffering implication）を緩和しうる。例として、制御チャネルはサブフレームｎで送信されえ、対応するデータチャネルはサブフレームｎ＋１、ｎ＋２、ｎ＋３、およびｎ＋４で送信される。
【００７７】
[0082]  いくつかのケースでは、強化されたＤＬカバレッジについて、ＨＡＲＱ ＡＣＫタイミング（ＰＤＳＣＨからＡＣＫ／ＮＡＫへの）が調整されうる。通常のＵＥの場合、ＨＡＲＱ ＡＣＫタイミングは、ＦＤＤでは４ｍｓであり、ＴＤＤでは４ｍｓ未満でありうる。カバレッジ制限付きＵＥの場合、ＰＤＳＣＨが最後のサブフレームで送信されるかどうかに関係なく（ＰＤＳＣＨは、以下で説明されるように、いくつかのサブフレームでは送信されない場合がある）、ＨＡＲＱ ＡＣＫ／ＮＡＫタイミングがバンドル内の最後のサブフレームのＰＤＳＣＨとリンク付されうる。タイミングは、通常のＵＥの場合と同じでありうるか、緩和されうる（４ｍｓ未満）。
【００７８】
[0083]  ＨＡＲＱプロセスの数はまた、例えば、バンドリングサイズ、スケジューリングタイミング、およびＨＡＲＱ ＡＣＫタイミングに依存して調整されうる。例として、ＨＡＲＱプロセスの数は、フロア（（スケジューリング遅延＋ＨＡＲＱ ＡＣＫ遅延）／バンドリング）＋１で決定されうる。スケジューリング遅延がゼロ（すなわち、同じサブフレームスケジューリング）であり、ＨＡＲＱ ＡＣＫ遅延が４ｍｓ（４のバンドリングサイズの場合）である場合、ＵＥに対して最大で２つのＤＬ ＨＡＲＱプロセスが存在しうる。
【００７９】
[0084]  代替として、バンドリングされたＰＤＳＣＨ送信に対するＨＡＲＱのない動作（HARQ-less operation）もまた考慮されうる。
【００８０】
[0085]  ＵＬ ＨＡＲＱ動作もまた、ＴＴＩバンドリング下で考慮されうる。スケジューリングタイミング（（ｅ）ＰＤＣＣＨからＰＵＳＣＨ）は、最後の制御サブフレームが制御チャネルを送信するか否かに関わらず、バンドル内の最後の制御サブフレームから第１のＰＵＳＣＨサブフレームまでに基づいて定義されうる。ＨＡＲＱ ＡＣＫタイミング（ＰＵＳＣＨから（ｅ）ＰＨＩＣＨおよび（ｅ）ＰＤＣＣＨ）は、ＰＵＳＣＨサブフレームからバンドル内の第１の制御サブフレームまでに基づいて定義されうる。ＵＬ ＨＡＲＱプロセスの数もまた、非バンドリングケースと比較して増加されたＵＬラウンドトリップ時間（ＲＴＴ）により低減されうる。
【００８１】
[0086]  制御とデータとの間の相互作用もまた、ＤＬカバレッジを強化する際に考慮されうる。例えば、ＤＬ ＴＴＩバンドリングは、制御についてのみ、データについてのみ、または両方について可能にされうる。例として、ＴＴＩバンドリングは、制御についてではなく、データについてのみ利用されうる。代わりに、異なるカバレッジ強化技法が、例えば、制御チャネルによって利用されるリソースの数を増加させることによって、制御チャネルに対して採用されうる。特にＵＬ ＨＡＲＱ動作へのインパクトを仮定した場合に、このアプローチは好ましい。
【００８２】
[0087]  ＭＢＳＦＮサブフレームとの相互作用もまた、ＤＬカバレッジを強化する際に考慮されうる。例えば、バンドル内のサブフレームは、連続したＤＬサブフレームでありうる。しかしながら、いくつかのサブフレームは、例えば、マルチメディアブロードキャストおよびマルチメディアサービス（ＭＢＭＳ）送信のために構成されたＭＢＳＦＮサブフレームと同様に、ＰＤＳＣＨ送信に対して利用可能ではない場合がある。このケースでは、これらのサブフレーム内のＰＤＳＣＨ送信は、バンドル内の効率的な数のサブフレームが低減されうるように省略されうる。代替的に、バンドル内のサブフレームは、連続的かつ利用可能なＤＬサブフレームとして定義されうる。このアプローチの場合、ＰＤＳＣＨに対して利用可能ではないサブフレームは、バンドル内のＰＤＳＣＨ送信の実際の数をバンドリングサイズと確実に等しくするために、バンドリングから除かれうる。しかしながら、このアプローチは、ＨＡＲＱ動作を複雑にしうる（これは、ＨＡＲＱのない動作を考慮することに帰着しうる）。
【００８３】
[0087]  ＴＤＤ固有考慮もまた、ＤＬカバレッジを強化する際になされる。例えば、ＴＴＩバンドリングは、ほとんどの場合、ＤＬサブフレームだけにわたるものである（ＵＬサブフレームを省略して）。ＤｗＰＴＳ長が短すぎていずれのＰＤＳＣＨまたはｅＰＤＣＣＨも搬送できない場合、特別なサブフレームもまた省略されうる。ＰＤＳＣＨ／ｅＰＤＣＣＨを搬送する特別なサブフレーム内のＤｗＰＴＳの場合、利用可能なリソースの数は、典型的に、通常のＤＬサブフレームのものよりも少ない。この問題に取り組むために、２つの設計代替案が考慮されうる。第１の代替案では、ＤｗＰＴＳにおけるＰＤＳＣＨ／ｅＰＤＣＣＨのためのＲＢ（またはリソース）の数は、同じバンドル内の通常のＤＬサブフレームのものと同じである。これは単純であるが、性能がわずかに劣化しうる。第２の代替案では、ＤｗＰＴＳにおけるＰＤＳＣＨ／ｅＰＤＣＣＨのためのＲＢ（またはリソース）の数は、同じバンドル内の通常のＤＬサブフレームのものと比較して調整されうる。これはわずかにより複雑ではあるが、性能を向上させうる。いくつかのケースでは、調整係数（adjustment factor）は、現在のトランスポートブロックサイズ（ＴＢＳ）調整係数に基づきうるか、または新たに定義されうる。例として、ＴＢＳ調整係数が０．７５の場合、ＤＬ ＴＴＩバンドリング下でのＤｗＰＴＳにおけるＲＢ調整係数は、シーリング（Ｎ＿ＲＢ／０．７５）でありえ、ここで、Ｎ＿ＲＢは、同じバンドルの通常のＤＬサブフレームにおけるＲＢの数である。
【００８４】
[0089]  図５は、強化されたダウンリンクカバレッジのための例となる動作５００を例示する。動作は、例えば、基地局（例えば、ｅＮＢ １１０）によって実行されうる。
【００８５】
[0090]  動作５００は、５０２において、基地局が、第２のタイプのＵＥと比べて、制限付きのダウンリンク（ＤＬ）カバレッジを有する−または、強化されたＤＬカバレッジを受信することとなる−第１のタイプの１つ以上のユーザ機器（ＵＥ）を識別することから開始しうる。５０４において、基地局は、第１のタイプのＵＥと通信する際に１つ以上のＤＬカバレッジ強化技法を利用し、ＤＬカバレッジ強化技法は、少なくとも、第２のタイプのＵＥと比べて第１のタイプのＵＥの低減されたＤＬ処理利得を補償するように（または、少なくとも調整するように）設計される。低減されたＤＬ処理利得は、第２のタイプのＵＥと比べて低減された数の受信チェーン、低減されたダウンリンク送信電力、または、第２のタイプのＵＥと比べてより狭い帯域幅の動作のうちの少なくとも１つによるものである。
【００８６】
[0091]  特定の態様によれば、１つ以上のＤＬカバレッジ強化技法は、第１のタイプのＵＥに送信する際の１つ以上の制御チャネルのペイロードサイズを、第２のタイプのＵＥに送信する際の同じ制御チャネルのペイロードサイズと比べて低減させることを伴う。特定の態様について、第１のペイロードサイズは、第１のタイプの制御チャネルのユニキャストメッセージを送信する際に使用され、第２のペイロードサイズは、第１のタイプの制御チャネルの非ユニキャストメッセージを送信する際に使用される。
【００８７】
[0092]  特定の態様によれば、１つ以上のＤＬカバレッジ強化技法は、低減されたコーディングレートをサポートするために、１つ以上の制御チャネルに利用可能なリソースを増加させることを含む。リソースの増加は、第２のタイプのＵＥに同じ制御チャネルを送信する際に利用可能なリソースの数に比例し（relative to）うる。特定の態様について、同じ情報が、増加されたリソースのリソースエレメント（ＲＥ）の異なるセットで繰り返される。特定の態様について、動作５００は、増加されたリソースを使用して制御チャネルが送信されることとなる１つ以上のサブフレームを示すシグナリングを基地局が受信することをさらに含む。
【００８８】
[0093]  特定の態様によれば、１つ以上のＤＬカバレッジ強化技法は、送信時間インターバル（ＴＴＩ）バンドリングを含み、ここで、多数のＤＬサブフレームからなるバンドルにわたって冗長バージョンのダウンリンクチャネルが送信される。例えば、バンドルは、Ｎ個の連続したＤＬサブフレームまたはＮ個の連続した非マルチメディアブロードキャスト単一周波数ネットワーク（非ＭＢＳＦＮ）ＤＬサブフレームを含みうる。特定の態様について、異なる数のリソースブロック（ＲＢ）が、ダウンリンクパイロット時間スロット（ＤｗＰＴＳ）を有するまたは（and）有さないバンドル内のＤＬサブフレームについて（for）ダウンリンクチャネルを送信するために使用される。バンドル内の各サブフレームでダウンリンクチャネルを送信するために、同じアグリゲーションレベルが使用されうる。他の態様について、バンドル内の異なるサブフレームでダウンリンクチャネルを送信するために、異なるアグリゲーションレベルが使用されうる。サブフレームで使用されるアグリゲーションレベルは、そのサブフレームにおいて利用可能なリソースに依存しうる。特定の態様について、バンドル内の各サブフレームにおけるあるバージョンのダウンリンクチャネルは、個別にコード化される（coded）か、変調されるか、またはリソースにマッピングされる。特定の態様について、異なるセットの制御チャネルエレメント（ＣＣＥ）が、複数のバージョンのダウンリンクチャネルを異なるサブフレームで送信するために使用され、異なるサブフレーム内の異なるセットのＣＣＥのロケーションはリンク付けされうる。特定の態様について、制御チャネルと、ＴＴＩバンドリングを介して送信された対応する物理ダウンリンク共有チャネル（ＰＤＳＣＨ）との間のスケジューリングタイミングは、バンドル内の第１のサブフレームに基づいて決定される。特定の態様によれば、ＴＴＩバンドリングを介して送信された物理ダウンリンク共有チャネル（ＰＤＳＣＨ）と、対応するＨＡＲＱ応答との間のハイブリッド自動再送要求（ＨＡＲＱ）タイミングは、バンドル内の最後のサブフレームに基づいて決定される。サポートされるハイブリッド自動再送要求（ＨＡＲＱ）プロセスの数は、ＴＴＩバンドリングサイズに依存しうる。特定の態様について、バンドル内の各サブフレームでダウンリンクチャネルを送信するために、同じ復号候補が使用される。
【００８９】
[0094]  ダウンリンクチャネルは、物理ダウンリンク共有チャネル（ＰＤＳＣＨ）でありうる。特定の態様によれば、ＴＴＩバンドリングは、複数のサブフレームにわたった単一のトランスポートブロック（ＴＢ）の送信を伴う。特定の態様について、ＴＢは、同じ変調およびコード化スキーム（ＭＣＳ）を使用してバンドルの各サブフレームで送信される。特定の態様について、ＴＢは、同数のリソースブロック（ＲＢ）を使用してバンドルの各サブフレームで送信される。ＴＢは、異なるロケーションのリソースブロック（ＲＢ）を使用してバンドルの各サブフレームで送信されうる。
【００９０】
[0095]  特定の態様によれば、バンドル内の開始サブフレームについてのサブフレームオフセットは、準静的または動的のうちの少なくとも１つで決定される。バンドル内の開始サブフレームについてのサブフレームオフセットはセル依存型でありうる。
【００９１】
[0096]  特定の態様について、バンドルのサイズは、一定であるか、準静的に構成されるかの少なくとも１つである。あるバージョンのダウンリンクチャネルを送信するための１つ以上の物理層（ＰＨＹ）動作は、バンドル内のサブフレームによって変化しうる。他の態様について、バンドルのサイズは動的に設定されうる。あるバージョンのダウンリンクチャネルを送信するための１つ以上の物理層（ＰＨＹ）動作は、バンドル内の異なるサブフレームで同じである。
【００９２】
[0097]  特定の態様によれば、５０４において、１つ以上のＤＬカバレッジ強化技法を利用することは、第１のタイプのＵＥのために、制御チャネルに対して第１の技法を利用することと、データチャネルに対して第２の技法を利用することとを含む。
【００９３】
[0098]  特定の態様について、第１のサブフレームで送られた制御チャネルが、後続のサブフレームでのデータ送信をスケジューリングするように、クロスサブフレームスケジューリングが利用される。
【００９４】
[0099]  特定の態様によれば、１つ以上のＤＬカバレッジ強化技法は、追加のビームフォーミング利得を利用することを含む。
【００９５】
[0100]  特定の態様によれば、異なるＤＬカバレッジ強化技法は、異なる復号候補で送信されるＤＬチャネルに対して使用される。
【００９６】
[0101]  図６は、強化されたダウンリンクカバレッジのための例となる動作６００を例示する。動作は、例えば、ＵＥ １２０によって実行されうる。
【００９７】
[0102]  動作６００は、６０２において、第２のタイプのＵＥと比べて、制限付きのＤＬカバレッジを有する−または強化されたＤＬカバレッジを受信することとなる−第１のタイプのＵＥであるＵＥが、少なくとも、第２のタイプのＵＥと比べて第１のタイプのＵＥの低減されたＤＬ処理利得を補償する（または、少なくとも調整する）ためにＵＥと通信する際に基地局によって利用された１つ以上のＤＬカバレッジ強化技法についての情報を受信することから開始しうる。特定の態様について、低減されたＤＬ処理利得は、第２のタイプのＵＥと比べて低減された数の受信チェーン、低減されたダウンリンク送信電力、または、第２のタイプのＵＥと比べてより狭い帯域幅の動作のうちの少なくとも１つによるものである。
【００９８】
[0103]  ６０４において、ＵＥは、１つ以上のＤＬカバレッジ強化技法を利用して送信された１つ以上のダウンリンク送信を基地局から受信する。６０６において、ＵＥは、受信された情報に基づいて１つ以上のダウンリンク送信を処理しうる。
【００９９】
[0104]  特定の態様によれば、１つ以上のＤＬカバレッジ強化技法は、第１のタイプのＵＥに送信する際の１つ以上の制御チャネルのペイロードサイズを、第２のタイプのＵＥに送信する際の同じ制御チャネルのペイロードサイズと比べて低減させることを含む。特定の態様について、第１のペイロードサイズは、第１のタイプの制御チャネルのユニキャストメッセージを送信する際に使用され、第２のペイロードサイズは、第１のタイプの制御チャネルの非ユニキャストメッセージを送信する際に使用される。
【０１００】
[0105]  特定の態様によれば、１つ以上のＤＬカバレッジ強化技法は、低減されたコーディングレートをサポートするために、１つ以上の制御チャネルに利用可能なリソースを増加させることを含む。特定の態様について、リソースの増加は、第２のタイプのＵＥに同じ制御チャネルを送信する際に利用可能なリソースの数に比例する。特定の態様について、同じ情報が、増加されたリソースの異なるセットのＲＥで繰り返される。
【０１０１】
[0106]  特定の態様によれば、１つ以上のＤＬカバレッジ強化技法はＴＴＩバンドリングを含み、ここで、１つ以上のダウンリンク送信は、多数のＤＬサブフレームからなるバンドルにわたって送信された冗長バージョンのダウンリンクチャネルを含む。バンドルは、例えば、Ｎ個の連続したＤＬサブフレームまたはＮ個の連続した非ＭＢＳＦＢＮ ＤＬサブフレームを備えうる。特定の態様について、異なる数のＲＢが、ＤｗＰＴＳを有するまたは有さないバンドル内のＤＬサブフレームについてダウンリンクチャネルを送信するために使用される。ダウンリンクチャネルは、バンドル内の各サブフレームで同じアグリゲーションレベルを使用して、または、バンドル内のサブフレームごとに異なるアグリゲーションレベルを使用して送信されうる。後者の場合、サブフレームで使用されるアグリゲーションレベルは、そのサブフレームの利用可能なリソースに依存しうる。特定の態様について、バンドル内の各サブフレームにおけるあるバージョンのダウンリンクチャネルは、個別にコーディングされ、変調され、およびリソースにマッピングされる。特定の態様について、異なるセットのＣＣＥは、複数のバージョンのダウンリンクチャネルを異なるサブフレームで送信するために使用され、異なるサブフレーム内の異なるセットのＣＣＥのロケーションはリンク付けされうる。
【０１０２】
[0107]  特定の態様によれば、ダウンリンクチャネルはＰＤＳＣＨである。このケースでは、ＴＴＩバンドリングは、多数のサブフレームにわたった単一のＴＢの送信を伴いうる。特定の態様について、ＴＢは、同じＭＣＳか、同数のＲＢか、または異なるロケーションのＲＢのうちの少なくとも１つを使用してバンドル内の各サブフレームで送信される。
【０１０３】
[0108]  特定の態様について、制御チャネルと、ＴＴＩバンドリングを介して送信された対応するＰＤＳＣＨとの間のスケジューリングタイミングは、バンドル内の第１のサブフレームに基づいて決定される。特定の態様について、ＴＴＩバンドリングを介して送信されたＰＤＳＣＨと、対応するＨＡＲＱ応答との間のＨＡＲＱタイミングは、バンドル内の最後のサブフレームに基づいて決定される。特定の態様について、サポートされるＨＡＲＱプロセスの数は、ＴＴＩバンドリングサイズに依存する。特定の態様によれば、バンドル内の最後のサブフレームの前にＵＥがダウンリンクチャネルを成功裏に復号した場合、ＵＥは、バンドル内の残りのサブフレームについてダウンリンクチャネルを復号することを省略しうる。特定の態様について、バンドル内の各サブフレームでダウンリンクチャネルを送信するために、同じ復号候補が使用される。バンドルのサイズは、一定であるかまたは準静的に設定されるかのうちの少なくとも１つでありうる。特定の態様について、あるバージョンのダウンリンクチャネルを送信するための１つ以上の物理層（ＰＨＹ）動作は、バンドル内のサブフレームによって異なる。バンドルのサイズは動的に設定されうる。特定の態様について、あるバージョンのダウンリンクチャネルを送信するための１つ以上のＰＨＹ動作は、バンドル内の異なるサブフレームで同じである。
【０１０４】
[0109]  特定の態様によれば、バンドル内の開始サブフレームについてのサブフレームオフセットは、準静的または動的のうちの少なくとも１つで決定される。バンドル内の開始サブフレームについてのサブフレームオフセットはセル依存型でありうる。
【０１０５】
[0110]  特定の態様によれば、１つ以上のＤＬカバレッジ強化技法は、第１のタイプのＵＥのために、制御チャネルに対して第１の技法を利用することと、データチャネルに対して第２の技法を利用することとを含む。
【０１０６】
[0111]  特定の態様によれば、第１のサブフレームで送られた制御チャネルが、後続のサブフレームでのデータ送信をスケジューリングするように、クロスサブフレームスケジューリングが利用される。
【０１０７】
[0112]  前述された方法の様々な動作は、対応する機能を実行することができる任意の適切な手段によって実行されうる。これらの手段は、回路、特定用途向け集積回路（ＡＳＩＣ）、またはプロセッサを含むがそれらに限定されるわけではない、様々なハードウェアおよび／またはソフトウェア／ファームウェアコンポーネントおよび／またはモジュールを含みうる。一般に、図に例示された動作が存在する場合、これら動作は、任意の適切な対応する手段プラス機能コンポーネントによって実行されうる。
【０１０８】
[0113]  例えば、送信するための手段は、図２に例示されたｅＮＢ １１０の送信機（例えば、変調器２３２）および／またはアンテナ２３４を備えうる。受信するための手段は、図２に例示されたｅＮＢ １１０の受信機（例えば、復調器２３２）および／またはアンテナ２３４を備えうる。処理するための手段、１つ以上のＤＬカバレッジ強化技法を利用するための手段、識別するための手段、または決定するための手段は、図２に例示されたｅＮＢ １１０の受信プロセッサ２３８、コントローラ／プロセッサ２４０、および／または送信プロセッサ２２０のような少なくとも１つのプロセッサを含みうる処理システムを備えうる。しかしながら、図２における追加のまたは代替的なコンポーネントは、上述された様々な手段として用いられうる。
【０１０９】
[0114]  開示されたプロセスにおけるステップの具体的な順序または階層が例示的なアプローチの一例であることが理解される。設計の選好に基づいて、プロセスにおけるステップの具体的な順序または階層が本開示の有効範囲（scope）内でありながら並べ替えられうることは理解される。添付の方法請求項は、様々なステップのエレメントを例示的な順序で提示しているが、提示された具体的な順序または階層に限定されることを意味するものではない。
【０１１０】
[0115]  当業者は、情報および信号が、多種多様な技術および技法のいずれかを用いて表されうることを理解するだろう。例えば、上記説明の全体にわたって参照されうるデータ、命令、コマンド、情報、信号、ビット、シンボル、およびチップは、電圧、電流、電磁波、磁場または磁性粒子、光場または光粒子、あるいはこれらの組み合わせによって表されうる。
【０１１１】
[0116]  当業者はさらに、本明細書の開示に関連して説明された実例となる様々な論理ブロック、モジュール、回路、およびアルゴリズムのステップが、電子ハードウェア、ソフトウェア／ファームウェア、またはそれらの組み合わせとして実現されうることを認識するだろう。このハードウェアおよびソフトウェアの互換性を明確に示すために、実例となる様々なコンポーネント、ブロック、モジュール、回路、およびステップが、概ねそれらの機能の観点から上記で説明されている。このような機能が、ハードウェアとして実現されるかソフトウェア／ファームウェアとして実現されるかは、特定のアプリケーションおよびシステム全体に課せられる設計制約に依存する。当業者は、特定アプリケーションごとに、上述された機能を様々な方法で実現することができるが、このような実現の決定は本開示の有効範囲からの逸脱の原因になるとして解釈されるべきではない。
【０１１２】
[0117]  本明細書の開示と関連して説明された実例となる様々な論理ブロック、モジュール、回路は、汎用プロセッサ、デジタルシグナルプロセッサ（ＤＳＰ）、特定用途向け集積回路（ＡＳＩＣ）、フィールドプログラマブルゲートアレイ（ＦＰＧＡ）または他のプログラマブル論理デバイス（ＰＬＤ）、ディスクリートゲートまたはトランジスタ論理、ディスクリートハードウェアコンポーネント、あるいは本明細書で説明された機能を実行するよう設計されたこれらの任意の組み合わせで実現または実行されうる。汎用プロセッサはマイクロプロセッサでありうるが、代替的に、このプロセッサは、任意の従来のプロセッサ、コントローラ、マイクロコントローラ、またはステートマシンでありうる。プロセッサはまた、コンピューティングデバイスの組み合わせ、例えば、ＤＳＰと、１つのマイクロプロセッサ、複数のマイクロプロセッサ、ＤＳＰコアに連結した１つ以上のマイクロプロセッサ、またはその他のそのような構成との組み合わせとして実現されうる。
【０１１３】
[0118]  本明細書の開示に関連して説明されたアルゴリズムまたは方法のステップは、直接的にハードウェアで、プロセッサによって実行されるソフトウェア／ファームウェアモジュールで、またはそれらの組み合わせで具現化されうる。ソフトウェア／ファームウェアモジュールは、ＲＡＭメモリ、フラッシュメモリ、ＲＯＭメモリ、ＥＰＲＯＭメモリ、ＥＥＰＲＯＭ（登録商標）メモリ、レジスタ、ハードディスク、リムーバブルディスク、ＣＤ−ＲＯＭ、または当技術分野で知られているその他の形態の記憶媒体に存在しうる。例示的な記憶媒体は、プロセッサが記憶媒体から情報を読み出し、記憶媒体に情報を書き込むことができるようにプロセッサに結合される。代替的に、記憶媒体はプロセッサに一体化されうる。プロセッサおよび記憶媒体はＡＳＩＣ内に存在しうる。ＡＳＩＣはユーザ端末内に存在しうる。代替的に、プロセッサおよび記憶媒体は、ユーザ端末においてディスクリートコンポーネントとして存在しうる。
【０１１４】
[0119]  １つ以上の例示的な設計において、説明された機能は、ハードウェア、ソフトウェア／ファームウェア、またはそれらの組み合わせで実現されうる。ソフトウェアで実現される場合、機能は、コンピュータ可読媒体において、１つ以上の命令またはコードとして、記憶または送信されることができる。コンピュータ可読媒体は、コンピュータ記憶媒体と、ある箇所から別の箇所へのコンピュータプログラム移送を容易にする任意の媒体を含む通信媒体とを両方含む。記憶媒体は、汎用コンピュータまたは専用コンピュータによってアクセスされることができる任意の入手可能な媒体でありうる。限定ではなく例として、そのようなコンピュータ可読媒体は、ＲＡＭ、ＲＯＭ、ＥＥＰＲＯＭ、ＣＤ−ＲＯＭまたは他の光ディスク記憶装置、磁気ディスク記憶装置または他の磁気記憶デバイス、あるいは、命令またはデータ構造の形態で所望のプログラムコード手段を搬送または記憶するために使用されることができ、かつ、汎用コンピュータまたは専用コンピュータあるいは汎用プロセッサまたは専用プロセッサによってアクセスされることができるその他の媒体を備えうる。また、任意の接続は厳密にはコンピュータ可読媒体と称されうる。例えば、ソフトウェアが、ウェブサイト、サーバ、または他のリモートソースから、同軸ケーブル、光ファイバーケーブル、ツイストペア、デジタル加入者回線（ＤＳＬ）、または赤外線、無線、およびマイクロ波のようなワイヤレス技術を使用して送信される場合、同軸ケーブル、光ファイバーケーブル、ツイストペア、ＤＳＬ、または赤外線、無線、およびマイクロ波のようなワイヤレス技術は、媒体の定義に含まれる。本明細書で使用される場合、ディスク（ｄｉｓｋ）およびディスク（ｄｉｓｃ）は、コンパクトディスク（ＣＤ）、レーザーディスク（登録商標）、光ディスク、デジタル多用途ディスク（ＤＶＤ）、フロッピー（登録商標）ディスク、およびブルーレイ（登録商標）ディスクを含み、ここで、ディスク（ｄｉｓｋ）は、通常磁気的にデータを再生し、ディスク（ｄｉｓｃ）は、レーザーを用いて光学的にデータを再生する。したがって、いくつかの態様では、コンピュータ可読媒体は、非一時的なコンピュータ可読媒体（例えば、有体的媒体）を備えうる。加えて、他の態様では、コンピュータ可読媒体は、一時的なコンピュータ可読媒体（例えば、信号）を備えうる。上記の組み合わせもコンピュータ可読媒体の有効範囲内に含まれるべきである。
【０１１５】
[0120]  本明細書で使用される場合、項目のリスト「のうちの少なくとも１つ」に関する表現は、単一のメンバを含む、それらの項目の任意の組み合わせを指す。例として、「ａ、ｂ、またはｃのうちの少なくとも１つ」は、ａ、ｂ、ｃ、ａ−ｂ、ａ−ｃ、ｂ−ｃ、およびａ−ｂ−ｃをカバーすることが意図される。
【０１１６】
[0121]  本開示の先の説明は、当業者が本開示を実行または使用することを可能にするために提供される。本開示に対する様々な変更は当業者には容易に明らかであり、本明細書で定義された包括的な原理は、本開示の精神または有効範囲から逸脱することなく、他の変形に適用されうる。したがって、本開示は本明細書で説明された例および設計に限定されることを意図しておらず、本明細書に開示された原理および新規な特徴と合致する最も広い範囲が与えられるべきである。
【図１】
2018067939.tif 000003
【図２】
2018067939.tif 000004
【図３】
2018067939.tif 000005
【図４】
2018067939.tif 000006
【図５】
2018067939.tif 000007
【図６】
2018067939.tif 000008
【手続補正書】
【提出日】平成29年12月22日(2017.12.22)
【手続補正１】
【補正対象書類名】特許請求の範囲
【補正対象項目名】全文
【補正方法】変更
【補正の内容】
【特許請求の範囲】
【請求項１】
基地局によるワイヤレス通信のための方法であって、
第２のタイプのユーザ機器（ＵＥ）と比べて強化されたダウンリンク（ＤＬ）カバレッジを受信することとなる第１のタイプの１つ以上のＵＥを識別することと、
前記第１のタイプのＵＥと通信する際に１つ以上のＤＬカバレッジ強化技法を利用することと
を備え、前記１つ以上のＤＬカバレッジ強化技法は、少なくとも、前記第２のタイプのＵＥと比べて前記第１のタイプのＵＥの低減されたＤＬ処理利得を調整するように設計される、方法。
【請求項２】
前記低減されたＤＬ処理利得は、
前記第２のタイプのＵＥと比べて低減された数の受信チェーン、
低減されたダウンリンク送信電力、または
前記第２のタイプのＵＥと比べてより狭い帯域幅の動作
のうちの少なくとも１つによるものである、請求項１に記載の方法。
【請求項３】
前記１つ以上のＤＬカバレッジ強化技法は、前記第１のタイプのＵＥに送信する際の１つ以上の制御チャネルのペイロードサイズを、前記第２のタイプのＵＥに送信する際の同じ制御チャネルのペイロードサイズと比べて低減させることを備える、請求項１に記載の方法。
【請求項４】
第１のペイロードサイズは、第１のタイプの制御チャネルのユニキャストメッセージを送信する際に使用され、
第２のペイロードサイズは、前記第１のタイプの制御チャネルの非ユニキャストメッセージを送信する際に使用される
請求項３に記載の方法。
【請求項５】
前記１つ以上のＤＬカバレッジ強化技法は、低減されたコーディングレートをサポートするために、１つ以上の制御チャネルに利用可能なリソースを増加させることを備える、請求項１に記載の方法。
【請求項６】
前記リソースの増加は、前記第２のタイプのＵＥに同じ制御チャネルを送信する際に利用可能なリソースの数に比例する、請求項５に記載の方法。
【請求項７】
同じ情報が、前記増加されたリソースの異なるセットのリソースエレメント（ＲＥ）で繰り返される、請求項５に記載の方法。
【請求項８】
制御チャネルが前記増加されたリソースを使用して送信されることとなる１つ以上のサブフレームを示すシグナリングを受信することをさらに備える、請求項５に記載の方法。
【請求項９】
前記１つ以上のＤＬカバレッジ強化技法は、送信時間インターバル（ＴＴＩ）バンドリングを備え、ここで、多数のＤＬサブフレームからなるバンドルにわたって冗長バージョンのダウンリンクチャネルが送信される、請求項１に記載の方法。
【請求項１０】
前記バンドルは、Ｎ個の連続したＤＬサブフレームを備える、請求項９に記載の方法。
【請求項１１】
前記バンドルは、Ｎ個の連続した非マルチメディアブロードキャスト単一周波数ネットワーク（非ＭＢＳＦＮ）ＤＬサブフレームを備える、請求項９に記載の方法。
【請求項１２】
異なる数のリソースブロック（ＲＢ）が、ダウンリンクパイロット時間スロット（ＤｗＰＴＳ）を有するまたは有さない前記バンドル内のＤＬサブフレームについて前記ダウンリンクチャネルを送信するために使用される、請求項９に記載の方法。
【請求項１３】
前記ダウンリンクチャネルは、物理ダウンリンク共有チャネル（ＰＤＳＣＨ）を備える、請求項９に記載の方法。
【請求項１４】
前記ＴＴＩバンドリングは、多数のサブフレームにわたって単一のトランスポートブロック（ＴＢ）を送信することを備える、請求項１３に記載の方法。
【請求項１５】
前記ＴＢは、同じ変調およびコード化スキーム（ＭＣＳ）を使用して前記バンドルの各サブフレームで送信される、請求項１４に記載の方法。
【請求項１６】
前記ＴＢは、同数のリソースブロック（ＲＢ）を使用して前記バンドルの各サブフレームで送信される、請求項１４に記載の方法。
【請求項１７】
前記ＴＢは、異なるロケーションのリソースブロック（ＲＢ）を使用して前記バンドルの各サブフレームで送信される、請求項１６に記載の方法。
【請求項１８】
制御チャネルと、前記ＴＴＩバンドリングを介して送信された対応する物理ダウンリンク共有チャネル（ＰＤＳＣＨ）との間のスケジューリングタイミングは、前記バンドル内の第１のサブフレームに基づいて決定される、請求項９に記載の方法。
【請求項１９】
前記ＴＴＩバンドリングを介して送信された物理ダウンリンク共有チャネル（ＰＤＳＣＨ）と、対応するハイブリッド自動再送要求（ＨＡＲＱ）応答との間のＨＡＲＱタイミングは、前記バンドル内の最後のサブフレームに基づいて決定される、請求項９に記載の方法。
【請求項２０】
サポートされるハイブリッド自動再送要求（ＨＡＲＱ）プロセスの数は、ＴＴＩバンドリングサイズに依存する、請求項９に記載の方法。
【請求項２１】
前記１つ以上のＤＬカバレッジ強化技法は、サブフレームのバンドル内の各サブフレームで前記ダウンリンクチャネルを送信するために、同じアグリゲーションレベルを使用することを備える、請求項１に記載の方法。
【請求項２２】
前記１つ以上のＤＬカバレッジ強化技法は、サブフレームのバンドル内の異なるサブフレームで前記ダウンリンクチャネルを送信するために、異なるアグリゲーションレベルを使用することを備える、請求項１に記載の方法。
【請求項２３】
サブフレームで使用されるアグリゲーションレベルは、そのサブフレーム内の利用可能なリソースに依存する、請求項２２に記載の方法。
【請求項２４】
前記１つ以上のＤＬカバレッジ強化技法は、サブフレームのバンドル内で前記ダウンリンクチャネルを送信することを備え、ここにおいて、前記バンドル内の各サブフレームにおけるあるバージョンの前記ダウンリンクチャネルは、個別にコード化され、変調され、リソースにマッピングされる、請求項１に記載の方法。
【請求項２５】
前記１つ以上のＤＬカバレッジ強化技法は、異なるサブフレームで複数のバージョンの前記ダウンリンクチャネルを送信するために、異なるセットの制御チャネルエレメント（ＣＣＥ）を使用することを備え、ここにおいて、前記異なるサブフレーム内の前記異なるセットのＣＣＥのロケーションはリンク付けされる、請求項１に記載の方法。
【請求項２６】
前記１つ以上のＤＬカバレッジ強化技法は、サブフレームのバンドル内の各サブフレームで前記ダウンリンクチャネルを送信するために、同じ復号候補を使用することを備える、請求項１に記載の方法。
【請求項２７】
前記１つ以上のＤＬカバレッジ強化技法は、サブフレームのバンドル内で前記ダウンリンクチャネルを送信することを備え、ここにおいて、前記バンドル内の開始サブフレームについてのサブフレームオフセットは、準静的または動的のうちの少なくとも１つで決定される、請求項１に記載の方法。
【請求項２８】
前記バンドル内の前記開始サブフレームについての前記サブフレームオフセットはセル依存型である、請求項２７に記載の方法。
【請求項２９】
前記１つ以上のＤＬカバレッジ強化技法は、サブフレームのバンドル内で前記ダウンリンクチャネルを送信することを備え、ここにおいて、前記バンドルのサイズは、一定であるか、準静的に構成されるかのうちの少なくとも１つである、請求項１に記載の方法。
【請求項３０】
前記１つ以上のＤＬカバレッジ強化技法は、サブフレームのバンドル内で前記ダウンリンクチャネルを送信することを備え、ここにおいて、あるバージョンの前記ダウンリンクチャネルを送信するための１つ以上の物理層（ＰＨＹ）動作は、前記バンドル内のサブフレームによって異なる、請求項１に記載の方法。
【請求項３１】
前記１つ以上のＤＬカバレッジ強化技法は、サブフレームのバンドル内で前記ダウンリンクチャネルを送信することを備え、ここにおいて、前記バンドルのサイズは動的に構成される、請求項１に記載の方法。
【請求項３２】
前記１つ以上のＤＬカバレッジ強化技法は、サブフレームのバンドル内で前記ダウンリンクチャネルを送信することを備え、ここにおいて、あるバージョンの前記ダウンリンクチャネルを送信するための１つ以上の物理層（ＰＨＹ）動作は、前記バンドル内の異なるサブフレームで同じである、請求項１に記載の方法。
【請求項３３】
前記１つ以上のＤＬカバレッジ強化技法を利用することは、前記第１のタイプのＵＥのために、制御チャネルに対して第１の技法を利用することと、データチャネルに対して第２の技法を利用することとを備える、請求項１に記載の方法。
【請求項３４】
第１のサブフレームで送られた制御チャネルが、後続のサブフレームでのデータ送信をスケジューリングするように、クロスサブフレームスケジューリングが利用される、請求項１に記載の方法。
【請求項３５】
前記１つ以上のＤＬカバレッジ強化技法は、追加のビームフォーミング利得を利用することを備える、請求項１に記載の方法。
【請求項３６】
異なるＤＬカバレッジ強化技法は、異なる復号候補で送信されるＤＬチャネルに対して使用される、請求項１に記載の方法。
【請求項３７】
ワイヤレス通信のための装置であって、
第２のタイプのユーザ機器（ＵＥ）と比べて強化されたダウンリンク（ＤＬ）カバレッジを受信することとなる第１のタイプの１つ以上のＵＥを識別するための手段と、
前記第１のタイプのＵＥと通信する際に１つ以上のＤＬカバレッジ強化技法を利用するための手段と
を備え、前記１つ以上のＤＬカバレッジ強化技法は、少なくとも、前記第２のタイプのＵＥと比べて前記第１のタイプのＵＥの低減されたＤＬ処理利得を調整するように設計される、装置。
【請求項３８】
前記低減されたＤＬ処理利得は、
前記第２のタイプのＵＥと比べて低減された数の受信チェーン、
低減されたダウンリンク送信電力、または
前記第２のタイプのＵＥと比べてより狭い帯域幅の動作
のうちの少なくとも１つによるものである、請求項３７に記載の装置。
【請求項３９】
前記１つ以上のＤＬカバレッジ強化技法は、前記第１のタイプのＵＥに送信する際の１つ以上の制御チャネルのペイロードサイズを、前記第２のタイプのＵＥに送信する際の同じ制御チャネルのペイロードサイズと比べて低減させることを備える、請求項３７に記載の装置。
【請求項４０】
第１のペイロードサイズは、第１のタイプの制御チャネルのユニキャストメッセージを送信する際に使用され、
第２のペイロードサイズは、前記第１のタイプの制御チャネルの非ユニキャストメッセージを送信する際に使用される
請求項３９に記載の装置。
【請求項４１】
前記１つ以上のＤＬカバレッジ強化技法は、低減されたコーディングレートをサポートするために、１つ以上の制御チャネルに利用可能なリソースを増加させることを備える、請求項３７に記載の装置。
【請求項４２】
前記リソースの増加は、前記第２のタイプのＵＥに同じ制御チャネルを送信する際に利用可能なリソースの数に比例する、請求項４１に記載の装置。
【請求項４３】
同じ情報が、前記増加されたリソースの異なるセットのリソースエレメント（ＲＥ）で繰り返される、請求項４１に記載の装置。
【請求項４４】
制御チャネルが前記増加されたリソースを使用して送信されることとなる１つ以上のサブフレームを示すシグナリングを受信するための手段をさらに備える、請求項４１に記載の装置。
【請求項４５】
前記１つ以上のＤＬカバレッジ強化技法は、送信時間インターバル（ＴＴＩ）バンドリングを備え、ここで、多数のＤＬサブフレームからなるバンドルにわたって冗長バージョンのダウンリンクチャネルが送信される、請求項３７に記載の装置。
【請求項４６】
前記バンドルは、Ｎ個の連続したＤＬサブフレームを備える、請求項４５に記載の装置。
【請求項４７】
前記バンドルは、Ｎ個の連続した非マルチメディアブロードキャスト単一周波数ネットワーク（非ＭＢＳＦＮ）ＤＬサブフレームを備える、請求項４５に記載の装置。
【請求項４８】
異なる数のリソースブロック（ＲＢ）は、ダウンリンクパイロット時間スロット（ＤｗＰＴＳ）を有するまたは有さない前記バンドル内のＤＬサブフレームについて前記ダウンリンクチャネルを送信するために使用される、請求項４５に記載の装置。
【請求項４９】
前記ダウンリンクチャネルは、物理ダウンリンク共有チャネル（ＰＤＳＣＨ）を備える、請求項４５に記載の装置。
【請求項５０】
前記ＴＴＩバンドリングは、多数のサブフレームにわたって単一のトランスポートブロック（ＴＢ）を送信することを備える、請求項４９に記載の装置。
【請求項５１】
前記ＴＢは、同じ変調およびコード化スキーム（ＭＣＳ）を使用して前記バンドルの各サブフレームで送信される、請求項５０に記載の装置。
【請求項５２】
前記ＴＢは、同数のリソースブロック（ＲＢ）を使用して前記バンドルの各サブフレームで送信される、請求項５０に記載の装置。
【請求項５３】
前記ＴＢは、異なるロケーションのリソースブロック（ＲＢ）を使用して前記バンドルの各サブフレームで送信される、請求項５２に記載の装置。
【請求項５４】
制御チャネルと、前記ＴＴＩバンドリングを介して送信された対応する物理ダウンリンク共有チャネル（ＰＤＳＣＨ）との間のスケジューリングタイミングは、前記バンドル内の第１のサブフレームに基づいて決定される、請求項４５に記載の装置。
【請求項５５】
前記ＴＴＩバンドリングを介して送信された物理ダウンリンク共有チャネル（ＰＤＳＣＨ）と、対応するハイブリッド自動再送要求（ＨＡＲＱ）応答との間のＨＡＲＱタイミングは前記バンドル内の最後のサブフレームに基づいて決定される、請求項４５に記載の装置。
【請求項５６】
サポートされるハイブリッド自動再送要求（ＨＡＲＱ）プロセスの数は、ＴＴＩバンドリングサイズに依存する、請求項４５に記載の装置。
【請求項５７】
前記１つ以上のＤＬカバレッジ強化技法は、サブフレームのバンドル内の各サブフレームで前記ダウンリンクチャネルを送信するために、同じアグリゲーションレベルを使用することを備える、請求項３７に記載の装置。
【請求項５８】
前記１つ以上のＤＬカバレッジ強化技法は、サブフレームのバンドル内の異なるサブフレームで前記ダウンリンクチャネルを送信するために、異なるアグリゲーションレベルを使用することを備える、請求項３７に記載の装置。
【請求項５９】
サブフレームで使用されるアグリゲーションレベルは、そのサブフレーム内の利用可能なリソースに依存する、請求項５８に記載の装置。
【請求項６０】
前記１つ以上のＤＬカバレッジ強化技法は、サブフレームのバンドル内で前記ダウンリンクチャネルを送信することを備え、ここにおいて、前記バンドル内の各サブフレームにおけるあるバージョンの前記ダウンリンクチャネルは、個別にコード化され、変調され、リソースにマッピングされる、請求項３７に記載の装置。
【請求項６１】
前記１つ以上のＤＬカバレッジ強化技法は、異なるサブフレームで複数のバージョンの前記ダウンリンクチャネルを送信するために、異なるセットの制御チャネルエレメント（ＣＣＥ）を使用することを備え、ここにおいて、前記異なるサブフレーム内の前記異なるセットのＣＣＥのロケーションはリンク付けされる、
請求項３７に記載の装置。
【請求項６２】
前記１つ以上のＤＬカバレッジ強化技法は、サブフレームのバンドル内で前記ダウンリンクチャネルを送信することを備え、ここにおいて、同じ復号候補は、前記バンドル内の各サブフレームで前記ダウンリンクチャネルを送信するために使用される、請求項３７に記載の装置。
【請求項６３】
前記１つ以上のＤＬカバレッジ強化技法は、サブフレームのバンドル内で前記ダウンリンクチャネルを送信することを備え、ここにおいて、前記バンドル内の開始サブフレームについてのサブフレームオフセットは、準静的または動的のうちの少なくとも１つで決定される、請求項３７に記載の装置。
【請求項６４】
前記バンドル内の前記開始サブフレームについての前記サブフレームオフセットはセル依存型である、請求項６３に記載の装置。
【請求項６５】
前記１つ以上のＤＬカバレッジ強化技法は、サブフレームのバンドル内で前記ダウンリンクチャネルを送信することを備え、ここにおいて、前記バンドルのサイズは、一定であるか、準静的に構成されるかのうちの少なくとも１つである、請求項３７に記載の装置。
【請求項６６】
前記１つ以上のＤＬカバレッジ強化技法は、サブフレームのバンドル内で前記ダウンリンクチャネルを送信することを備え、ここにおいて、あるバージョンの前記ダウンリンクチャネルを送信するための１つ以上の物理層（ＰＨＹ）動作は、前記バンドル内のサブフレームによって異なる、請求項３７に記載の装置。
【請求項６７】
前記１つ以上のＤＬカバレッジ強化技法は、サブフレームのバンドル内で前記ダウンリンクチャネルを送信することを備え、ここにおいて、前記バンドルのサイズは動的に構成される、請求項３７に記載の装置。
【請求項６８】
前記１つ以上のＤＬカバレッジ強化技法は、サブフレームのバンドル内で前記ダウンリンクチャネルを送信することを備え、ここにおいて、あるバージョンの前記ダウンリンクチャネルを送信するための１つ以上の物理層（ＰＨＹ）動作は、前記バンドル内の異なるサブフレームで同じである、請求項３７に記載の装置。
【請求項６９】
前記１つ以上のＤＬカバレッジ強化技法を利用するための手段は、前記第１のタイプのＵＥのために、制御チャネルに対して第１の技法を利用し、データチャネルに対して第２の技法を利用するように構成される、請求項３７に記載の装置。
【請求項７０】
第１のサブフレームで送られた制御チャネルが、後続のサブフレームでのデータ送信をスケジューリングするように、クロスサブフレームスケジューリングが利用される、請求項３７に記載の装置。
【請求項７１】
前記１つ以上のＤＬカバレッジ強化技法は、追加のビームフォーミング利得を利用することを備える、請求項３７に記載の装置。
【請求項７２】
異なるＤＬカバレッジ強化技法は、異なる復号候補で送信されるＤＬチャネルに対して使用される、請求項３７に記載の装置。
【請求項７３】
ワイヤレス通信のための装置であって、
第２のタイプのユーザ機器（ＵＥ）と比べて強化されたダウンリンク（ＤＬ）カバレッジを受信することとなる第１のタイプの１つ以上のＵＥを識別することと、
前記第１のタイプのＵＥと通信する際に１つ以上のＤＬカバレッジ強化技法を利用することと
を行うように構成された少なくとも１つのプロセッサと、前記１つ以上のＤＬカバレッジ強化技法は少なくとも、前記第２のタイプのＵＥと比べて前記第１のタイプのＵＥの低減されたＤＬ処理利得を調整するように設計される、
前記少なくとも１つのプロセッサに結合されたメモリと
を備える装置。
【請求項７４】
ワイヤレス通信のための非一時的なコンピュータ可読媒体であって、前記非一時的なコンピュータ可読媒体は、命令を格納し、前記命令は、
第２のタイプのユーザ機器（ＵＥ）と比べて強化されたダウンリンク（ＤＬ）カバレッジを受信することとなる第１のタイプの１つ以上のＵＥを識別し、
前記第１のタイプのＵＥと通信する際に１つ以上のＤＬカバレッジ強化技法を利用する
ために１つ以上のプロセッサによって実行可能であり、前記１つ以上のＤＬカバレッジ強化技法は、少なくとも、前記第２のタイプのＵＥと比べて前記第１のタイプのＵＥの低減されたＤＬ処理利得を調整するように設計される、非一時的なコンピュータ可読媒体。
【手続補正２】
【補正対象書類名】明細書
【補正対象項目名】０１１６
【補正方法】変更
【補正の内容】
【０１１６】
[0121]  本開示の先の説明は、当業者が本開示を実行または使用することを可能にするために提供される。本開示に対する様々な変更は当業者には容易に明らかであり、本明細書で定義された包括的な原理は、本開示の精神または有効範囲から逸脱することなく、他の変形に適用されうる。したがって、本開示は本明細書で説明された例および設計に限定されることを意図しておらず、本明細書に開示された原理および新規な特徴と合致する最も広い範囲が与えられるべきである。
以下に本願の出願当初の特許請求の範囲に記載された発明を付記する。
［Ｃ１］
基地局によるワイヤレス通信システムのための方法であって、
第２のタイプのユーザ機器（ＵＥ）と比べて強化されたダウンリンク（ＤＬ）カバレッジを受信することとなる第１のタイプの１つ以上のＵＥを識別することと、
前記第１のタイプのＵＥと通信する際に１つ以上のＤＬカバレッジ強化技法を利用することと
を備え、前記１つ以上のＤＬカバレッジ強化技法は、少なくとも、前記第２のタイプのＵＥと比べて前記第１のタイプのＵＥの低減されたＤＬ処理利得を調整するように設計される、方法。
［Ｃ２］
前記低減されたＤＬ処理利得は、
前記第２のタイプのＵＥと比べて低減された数の受信チェーン、
低減されたダウンリンク送信電力、または
前記第２のタイプのＵＥと比べてより狭い帯域幅の動作
のうちの少なくとも１つによるものである、Ｃ１に記載の方法。
［Ｃ３］
前記１つ以上のＤＬカバレッジ強化技法は、前記第１のタイプのＵＥに送信する際の１つ以上の制御チャネルのペイロードサイズを、前記第２のタイプのＵＥに送信する際の同じ制御チャネルのペイロードサイズと比べて低減させることを備える、Ｃ１に記載の方法。
［Ｃ４］
第１のペイロードサイズは、第１のタイプの制御チャネルのユニキャストメッセージを送信する際に使用され、
第２のペイロードサイズは、前記第１のタイプの制御チャネルの非ユニキャストメッセージを送信する際に使用される
Ｃ３に記載の方法。
［Ｃ５］
前記１つ以上のＤＬカバレッジ強化技法は、低減されたコーディングレートをサポートするために、１つ以上の制御チャネルに利用可能なリソースを増加させることを備える、Ｃ１に記載の方法。
［Ｃ６］
前記リソースの増加は、前記第２のタイプのＵＥに同じ制御チャネルを送信する際に利用可能なリソースの数と比例する、Ｃ５に記載の方法。
［Ｃ７］
同じ情報が、前記増加されたリソースの異なるセットのリソースエレメント（ＲＥ）で繰り返される、Ｃ５に記載の方法。
［Ｃ８］
制御チャネルが前記増加されたリソースを使用して送信されることとなる１つ以上のサブフレームを示すシグナリングを受信することをさらに備える、Ｃ５に記載の方法。
［Ｃ９］
前記１つ以上のＤＬカバレッジ強化技法は、送信時間インターバル（ＴＴＩ）バンドリングを備え、ここで、多数のＤＬサブフレームからなるバンドルにわたって冗長バージョンのダウンリンクチャネルが送信される、Ｃ１に記載の方法。
［Ｃ１０］
前記バンドルは、Ｎ個の連続したＤＬサブフレームを備える、Ｃ９に記載の方法。
［Ｃ１１］
前記バンドルは、Ｎ個の連続した非マルチメディアブロードキャスト単一周波数ネットワーク（非ＭＢＳＦＮ）ＤＬサブフレームを備える、Ｃ９に記載の方法。
［Ｃ１２］
異なる数のリソースブロック（ＲＢ）が、ダウンリンクパイロット時間スロット（ＤｗＰＴＳ）を有するまたは有さない前記バンドル内のＤＬサブフレームについて前記ダウンリンクチャネルを送信するために使用される、Ｃ９に記載の方法。
［Ｃ１３］
同じアグリゲーションレベルが、前記バンドル内の各サブフレームで前記ダウンリンクチャネルを送信するために使用される、Ｃ９に記載の方法。
［Ｃ１４］
異なるアグリゲーションレベルが、前記バンドル内の異なるサブフレームで前記ダウンリンクチャネルを送信するために使用される、Ｃ９に記載の方法。
［Ｃ１５］
サブフレームで使用されるアグリゲーションレベルは、そのサブフレーム内の利用可能なリソースに依存する、Ｃ１４に記載の方法。
［Ｃ１６］
前記バンドル内の各サブフレームにおけるあるバージョンの前記ダウンリンクチャネルは、個別にコード化され、変調され、リソースにマッピングされる、Ｃ９に記載の方法。
［Ｃ１７］
異なるセットの制御チャネルエレメント（ＣＣＥ）が、異なるサブフレームで複数のバージョンの前記ダウンリンクチャネルを送信するために使用され、
前記異なるサブフレーム内の前記異なるセットのＣＣＥのロケーションはリンク付けされる、Ｃ９に記載の方法。
［Ｃ１８］
前記ダウンリンクチャネルは、物理ダウンリンク共有チャネル（ＰＤＳＣＨ）を備える、Ｃ９に記載の方法。
［Ｃ１９］
前記ＴＴＩバンドリングは、多数のサブフレームを通じて単一のトランスポートブロック（ＴＢ）を送信することを備える、Ｃ１８に記載の方法。
［Ｃ２０］
前記ＴＢは、同じ変調およびコード化スキーム（ＭＣＳ）を使用して前記バンドルの各サブフレームで送信される、Ｃ１９に記載の方法。
［Ｃ２１］
前記ＴＢは、同数のリソースブロック（ＲＢ）を使用して前記バンドルの各サブフレームで送信される、Ｃ１９に記載の方法。
［Ｃ２２］
前記ＴＢは、異なるロケーションのリソースブロック（ＲＢ）を使用して前記バンドルの各サブフレームで送信される、Ｃ２１に記載の方法。
［Ｃ２３］
制御チャネルと、前記ＴＴＩバンドリングを介して送信された対応する物理ダウンリンク共有チャネル（ＰＤＳＣＨ）との間のスケジューリングタイミングは、前記バンドル内の第１のサブフレームに基づいて決定される、Ｃ９に記載の方法。
［Ｃ２４］
前記ＴＴＩバンドリングを介して送信された物理ダウンリンク共有チャネル（ＰＤＳＣＨ）と、対応するハイブリッド自動再送要求（ＨＡＲＱ）応答との間のＨＡＲＱタイミングは、前記バンドル内の最後のサブフレームに基づいて決定される、Ｃ９に記載の方法。
［Ｃ２５］
サポートされるハイブリッド自動再送要求（ＨＡＲＱ）プロセスの数は、ＴＴＩバンドリングサイズに依存する、Ｃ９に記載の方法。
［Ｃ２６］
前記バンドル内の各サブフレームで前記ダウンリンクチャネルを送信するために、同じ復号候補が使用される、Ｃ９に記載の方法。
［Ｃ２７］
前記バンドル内の開始サブフレームについてのサブフレームオフセットは、準静的または動的のうちの少なくとも１つで決定される、Ｃ９に記載の方法。
［Ｃ２８］
前記バンドル内の前記開始サブフレームについての前記サブフレームオフセットはセル依存型である、Ｃ２７に記載の方法。
［Ｃ２９］
前記バンドルのサイズは、一定であるか、準静的に構成されるかのうちの少なくとも１つである、Ｃ９に記載の方法。
［Ｃ３０］
あるバージョンの前記ダウンリンクチャネルを送信するための１つ以上の物理層（ＰＨＹ）動作は、前記バンドル内のサブフレームによって異なる、Ｃ９に記載の方法。
［Ｃ３１］
前記バンドルのサイズは動的に構成される、Ｃ９に記載の方法。
［Ｃ３２］
あるバージョンの前記ダウンリンクチャネルを送信するための１つ以上の物理層（ＰＨＹ）動作は、前記バンドル内の異なるサブフレームで同じである、Ｃ９に記載の方法。
［Ｃ３３］
前記１つ以上のＤＬカバレッジ強化技法を利用することは、前記第１のタイプのＵＥのために、制御チャネルに対して第１の技法を利用することと、データチャネルに対して第２の技法を利用することとを備える、Ｃ１に記載の方法。
［Ｃ３４］
第１のサブフレームで送られた制御チャネルが、後続のサブフレームでのデータ送信をスケジューリングするように、クロスサブフレームスケジューリングが利用される、Ｃ１に記載の方法。
［Ｃ３５］
前記１つ以上のＤＬカバレッジ強化技法は、追加のビームフォーミング利得を利用することを備える、Ｃ１に記載の方法。
［Ｃ３６］
異なるＤＬカバレッジ強化技法は、異なる復号候補で送信されるＤＬチャネルに対して使用される、Ｃ１に記載の方法。
［Ｃ３７］
ワイヤレス通信のための装置であって、
第２のタイプのユーザ機器（ＵＥ）と比べて強化されたダウンリンク（ＤＬ）カバレッジを受信することとなる第１のタイプの１つ以上のＵＥを識別するための手段と、
前記第１のタイプのＵＥと通信する際に１つ以上のＤＬカバレッジ強化技法を利用するための手段と
を備え、前記１つ以上のＤＬカバレッジ強化技法は、少なくとも、前記第２のタイプのＵＥと比べて前記第１のタイプのＵＥの低減されたＤＬ処理利得を調整するように設計される、装置。
［Ｃ３８］
前記低減されたＤＬ処理利得は、
前記第２のタイプのＵＥと比べて低減された数の受信チェーン、
低減されたダウンリンク送信電力、または
前記第２のタイプのＵＥと比べてより狭い帯域幅の動作
のうちの少なくとも１つによるものである、Ｃ３７に記載の装置。
［Ｃ３９］
前記１つ以上のＤＬカバレッジ強化技法は、前記第１のタイプのＵＥに送信する際の１つ以上の制御チャネルのペイロードサイズを、前記第２のタイプのＵＥに送信する際の同じ制御チャネルのペイロードサイズと比べて低減させることを備える、Ｃ３７に記載の装置。
［Ｃ４０］
第１のペイロードサイズは、第１のタイプの制御チャネルのユニキャストメッセージを送信する際に使用され、
第２のペイロードサイズは、前記第１のタイプの制御チャネルの非ユニキャストメッセージを送信する際に使用される
Ｃ３９に記載の装置。
［Ｃ４１］
前記１つ以上のＤＬカバレッジ強化技法は、低減されたコーディングレートをサポートするために、１つ以上の制御チャネルに利用可能なリソースを増加させることを備える、Ｃ３７に記載の装置。
［Ｃ４２］
前記リソースの増加は、前記第２のタイプのＵＥに同じ制御チャネルを送信する際に利用可能なリソースの数に比例する、Ｃ４１に記載の装置。
［Ｃ４３］
同じ情報が、前記増加したリソースの異なるセットのリソースエレメント（ＲＥ）で繰り返される、Ｃ４１に記載の装置。
［Ｃ４４］
制御チャネルが前記増加されたリソースを使用して送信されることとなる１つ以上のサブフレームを示すシグナリングを受信するための手段をさらに備える、Ｃ４１に記載の装置。
［Ｃ４５］
前記１つ以上のＤＬカバレッジ強化技法は、送信時間インターバル（ＴＴＩ）バンドリングを備え、ここで、多数のＤＬサブフレームからなるバンドルにわたってダウンリンクチャネルの冗長バージョンが送信される、Ｃ３７に記載の装置。
［Ｃ４６］
前記バンドルは、Ｎ個の連続したＤＬサブフレームを備える、Ｃ４５に記載の装置。
［Ｃ４７］
前記バンドルは、Ｎ個の連続した非マルチメディアブロードキャスト単一周波数ネットワーク（非ＭＢＳＦＮ）ＤＬサブフレームを備える、Ｃ４５に記載の装置。
［Ｃ４８］
異なる数のリソースブロック（ＲＢ）は、ダウンリンクパイロット時間スロット（ＤｗＰＴＳ）を有するまたは有さない前記バンドル内のＤＬサブフレームについて前記ダウンリンクチャネルを送信するために使用される、Ｃ４５に記載の装置。
［Ｃ４９］
同じアグリゲーションレベルが、前記バンドル内の各サブフレームで前記ダウンリンクチャネルを送信するために使用される、Ｃ４５に記載の装置。
［Ｃ５０］
異なるアグリゲーションレベルが、前記バンドル内の異なるサブフレームで前記ダウンリンクチャネルを送信するために使用される、Ｃ４５に記載の装置。
［Ｃ５１］
サブフレームで使用されるアグリゲーションレベルは、そのサブフレーム内の利用可能なリソースに依存する、Ｃ５０に記載の装置。
［Ｃ５２］
前記バンドル内の各サブフレームにおけるあるバージョンの前記ダウンリンクチャネルは、個別にコーディングされ、変調され、リソースにマッピングされる、Ｃ４５に記載の装置。
［Ｃ５３］
異なるセットの制御チャネルエレメント（ＣＣＥ）が、異なるサブフレームで複数のバージョンの前記ダウンリンクチャネルを送信するために使用され、
前記異なるサブフレーム内の前記異なるセットのＣＣＥのロケーションはリンク付けされる、
Ｃ４５に記載の装置。
［Ｃ５４］
前記ダウンリンクチャネルは、物理ダウンリンク共有チャネル（ＰＤＳＣＨ）を備える、Ｃ４５に記載の装置。
［Ｃ５５］
前記ＴＴＩバンドリングは、多数のサブフレームにわたって単一のトランスポートブロック（ＴＢ）を送信することを備える、Ｃ５４に記載の装置。
［Ｃ５６］
前記ＴＢは、同じ変調およびコード化スキーム（ＭＣＳ）を使用して前記バンドルの各サブフレームで送信される、Ｃ５５に記載の装置。
［Ｃ５７］
前記ＴＢは、同数のリソースブロック（ＲＢ）を使用して前記バンドルの各サブフレームで送信される、Ｃ５５に記載の装置。
［Ｃ５８］
前記ＴＢは、異なる数のリソースブロック（ＲＢ）を使用して前記バンドルの各サブフレームで送信される、Ｃ５７に記載の装置。
［Ｃ５９］
制御チャネルと、前記ＴＴＩバンドリングを介して送信された対応する物理ダウンリンク共有チャネル（ＰＤＳＣＨ）との間のスケジューリングタイミングは、前記バンドル内の第１のサブフレームに基づいて決定される、Ｃ４５に記載の装置。
［Ｃ６０］
前記ＴＴＩバンドリングを介して送信された物理ダウンリンク共有チャネル（ＰＤＳＣＨ）と、対応するハイブリッド自動再送要求（ＨＡＲＱ）応答との間のＨＡＲＱタイミングは前記バンドル内の最後のサブフレームに基づいて決定される、Ｃ４５に記載の装置。
［Ｃ６１］
サポートされるハイブリッド自動再送要求（ＨＡＲＱ）プロセスの数は、ＴＴＩバンドリングサイズに依存する、Ｃ４５に記載の装置。
［Ｃ６２］
前記バンドル内の各サブフレームで前記ダウンリンクチャネルを送信するために、同じ復号候補が使用される、Ｃ４５に記載の装置。
［Ｃ６３］
前記バンドル内の開始サブフレームについてのサブフレームオフセットは、準静的または動的のうちの少なくとも１つで決定される、Ｃ４５に記載の装置。
［Ｃ６４］
前記バンドル内の前記開始サブフレームについての前記サブフレームオフセットはセル依存型である、Ｃ６３に記載の装置。
［Ｃ６５］
前記バンドルのサイズは、一定であるか、準静的に構成されるかのうちの少なくとも１つである、Ｃ４５に記載の装置。
［Ｃ６６］
あるバージョンの前記ダウンリンクチャネルを送信するための１つ以上の物理層（ＰＨＹ）動作は、前記バンドル内のサブフレームによって異なる、Ｃ４５に記載の装置。
［Ｃ６７］
前記バンドルのサイズは動的に構成されうる、Ｃ４５に記載の装置。
［Ｃ６８］
あるバージョンの前記ダウンリンクチャネルを送信するための１つ以上の物理層（ＰＨＹ）動作は、前記バンドル内の異なるサブフレームで同じである、Ｃ４５に記載の装置。
［Ｃ６９］
前記１つ以上のＤＬカバレッジ強化技法を利用するための手段は、前記第１のタイプのＵＥのために、制御チャネルに対して第１の技法を利用し、データチャネルに対して第２の技法を利用するように構成される、Ｃ３７に記載の装置。
［Ｃ７０］
第１のサブフレームで送られた制御チャネルが、後続のサブフレームでのデータ送信をスケジューリングするように、クロスサブフレームスケジューリングが利用される、Ｃ３７に記載の装置。
［Ｃ７１］
前記１つ以上のＤＬカバレッジ強化技法は、追加のビームフォーミング利得を利用することを備える、Ｃ３７に記載の装置。
［Ｃ７２］
異なるＤＬカバレッジ強化技法は、異なる復号候補で送信されるＤＬチャネルに対して使用される、Ｃ３７に記載の装置。
［Ｃ７３］
ワイヤレス通信のための装置であって、
第２のタイプのユーザ機器（ＵＥ）と比べて強化されたダウンリンク（ＤＬ）カバレッジを受信することとなる第１のタイプの１つ以上のＵＥを識別することと、
前記第１のタイプのＵＥと通信する際に１つ以上のＤＬカバレッジ強化技法を利用することと
を行うように構成された少なくとも１つのプロセッサと、前記１つ以上のＤＬカバレッジ強化技法は少なくとも、前記第２のタイプのＵＥと比べて前記第１のタイプのＵＥの低減されたＤＬ処理利得を調整するように設計される、
前記少なくとも１つのプロセッサに結合されたメモリと
を備える装置。
［Ｃ７４］
ワイヤレス通信のためのコンピュータプログラム製品であって、前記コンピュータプログラム製品は、命令を格納したコンピュータ可読媒体を備え、前記命令は、
第２のタイプのユーザ機器（ＵＥ）と比べて強化されたダウンリンク（ＤＬ）カバレッジを受信することとなる第１のタイプの１つ以上のＵＥを識別し、
前記第１のタイプのＵＥと通信する際に１つ以上のＤＬカバレッジ強化技法を利用する
ために１つ以上のプロセッサによって実行可能であり、前記１つ以上のＤＬカバレッジ強化技法は、少なくとも、前記第２のタイプのＵＥと比べて前記第１のタイプのＵＥの低減されたＤＬ処理利得を調整するように設計される、コンピュータプログラム製品。
【外国語明細書】
2018067939000001.pdf